(57)【特許請求の範囲】
【請求項１】
無線通信ネットワーク（１００）における通信能力を再確立するための手順を開始するための、無線デバイス（１２０）によって行われる方法であって、前記無線デバイス（１２０）および無線ネットワークノード（１１０）が、前記無線通信ネットワーク（１００）内で動作し、
−  前記無線デバイス（１２０）による受信のために特にターゲットにされ、既知の周期性で送信される、第１の信号を前記無線ネットワークノード（１１０）から受信すること（２０４、７０２）と、
−  前記既知の周期性によって指定された一定の既知の時間が、前記第１の信号の最後の受領から経過したことに応答して、ビーム対を使用して、前記無線ネットワークノード（１１０）へのランダムアクセス送信を行うことによって、前記無線デバイス（１２０）と前記無線ネットワークノード（１１０）との間の通信能力を再確立するための手順を開始すること（２１４、７０７）と
を含む、方法。
【請求項２】
−  時間値を入手すること（２０３、７０１）と、
−  前記第１の信号の前記最後の受領からの時間を計測すること（２０５、２１０、７０３、７０５）と、
−  前記入手された時間値および前記計測された時間に基づいて、前記一定の既知の時間が経過したか否かを判断すること（２１２、７０６）と
を含む、請求項１に記載の方法。
【請求項３】
−  前記時間値に関する更新情報を入手すること（２０９、７０４）と、
−  前記時間値に関する前記更新情報に基づいて、前記一定の既知の時間が経過したか否かを判断すること（２１２、７０６）と
を含む、請求項２に記載の方法。
【請求項４】
前記更新情報の受領により、時間の計測が再スタートする、請求項３に記載の方法。
【請求項５】
前記時間値および／または前記時間値に関する更新情報が、前記無線デバイス（１２０）に対するネットワーク送受信ポイント（ＴＲＰ）を、前記無線通信ネットワーク（１００）がスイッチしようとしていることを検出することに基づく、請求項２から４のいずれか一項に記載の方法。
【請求項６】
前記時間値および／または前記時間値に関する更新情報が、前記無線デバイス（１２０）との間の予想トラフィックに基づく、請求項２から５のいずれか一項に記載の方法。
【請求項７】
前記第１の信号が、ダウンリンク制御情報（ＤＣＩ）メッセージまたは参照信号を含む、請求項１から６のいずれか一項に記載の方法。
【請求項８】
無線通信ネットワーク（１００）における通信能力を再確立するための手順を開始するための、無線ネットワークノード（１１０）によって行われる方法であって、前記無線ネットワークノード（１１０）および無線デバイス（１２０）が、前記無線通信ネットワーク（１００）内で動作し、
−  既知の周期性によって指定された一定の既知の時間が、第１の信号の最後の送信から経過する前に、前記第１の信号を前記無線デバイス（１２０）に送付すること（２０４、８０３）であって、前記第１の信号が、前記無線デバイス（１２０）による受信のために特にターゲットにされ、前記既知の周期性で送信される、送付すること（２０４、８０３）
を含む、方法。
【請求項９】
−  時間値を入手すること（２０１、８０１）と、
−  前記第１の信号の前記最後の送信からの時間を計測すること（２０６、２１１、８０４、８０７）と、
−  前記入手された時間値および前記計測された時間に基づいて、いつ前記一定の既知の時間が発生するかを判断すること（２１３、８０８）と
を含む、請求項８に記載の方法。
【請求項１０】
−  前記時間値に関する更新情報を入手すること（２０７、８０５）と、
−  前記時間値に関する前記更新情報を前記無線デバイス（１２０）に送付すること（２０８、８０６）と
を含む、請求項９に記載の方法。
【請求項１１】
無線通信ネットワーク（１００）における通信能力を再確立するための手順を開始するための無線デバイス（１２０）であって、前記無線デバイス（１２０）および無線ネットワークノード（１１０）が、前記無線通信ネットワーク（１００）内で動作するように設定され、
−  前記無線デバイス（１２０）による受信のために特にターゲットにされ、既知の周期性で送信される、第１の信号を前記無線ネットワークノード（１１０）から受信することと、
−  前記既知の周期性によって指定された一定の既知の時間が、前記第１の信号の最後の受領から経過したことに応答して、ビーム対を使用して、前記無線ネットワークノード（１１０）へのランダムアクセス送信を行うことによって、前記無線デバイス（１２０）と前記無線ネットワークノード（１１０）との間の通信能力を再確立するための手順を開始することと
を行うように設定される、無線デバイス（１２０）。
【請求項１２】
−  時間値を入手することと、
−  前記第１の信号の前記最後の受領からの時間を計測することと、
−  前記入手された時間値および前記計測された時間に基づいて、前記一定の既知の時間が経過したか否かを判断することと
を行うように設定された、請求項１１に記載の無線デバイス（１２０）。
【請求項１３】
−  前記時間値に関する更新情報を入手することと、
−  前記時間値に関する前記更新情報に基づいて、前記一定の既知の時間が経過したか否かを判断することと
を行うように設定された、請求項１２に記載の無線デバイス（１２０）。
【請求項１４】
前記更新情報の受領により、時間の計測が再スタートする、請求項１３に記載の無線デバイス（１２０）。
【請求項１５】
前記時間値および／または前記時間値に関する更新情報が、前記無線デバイス（１２０）に対するネットワーク送受信ポイント（ＴＲＰ）を、前記無線通信ネットワーク（１００）がスイッチしようとしていることを検出することに基づく、請求項１２から１４のいずれか一項に記載の無線デバイス（１２０）。
【請求項１６】
前記時間値および／または前記時間値に関する更新情報が、前記無線デバイス（１２０）との間の予想トラフィックに基づく、請求項１２から１５のいずれか一項に記載の無線デバイス（１２０）。
【請求項１７】
前記第１の信号が、ダウンリンク制御情報（ＤＣＩ）メッセージまたは参照信号を含む、請求項１１から１６のいずれか一項に記載の無線デバイス（１２０）。
【請求項１８】
無線通信ネットワーク（１００）における通信能力を再確立するための手順を開始するための無線ネットワークノード（１１０）であって、前記無線ネットワークノード（１１０）および無線デバイス（１２０）が、前記無線通信ネットワーク（１００）内で動作するように設定され、
−  既知の周期性によって指定された一定の既知の時間が、第１の信号の最後の送信から経過する前に、前記第１の信号を無線デバイス（１２０）に送付することであって、前記第１の信号が、前記無線デバイス（１２０）による受信のために特にターゲットにされ、前記既知の周期性で送信される、送付すること
を行うように設定される、無線ネットワークノード（１１０）。
【請求項１９】
−  時間値を入手することと、
−  前記第１の信号の前記最後の送信からの時間を計測することと、
−  前記入手された時間値および前記計測された時間に基づいて、いつ前記一定の既知の時間が発生するかを判断することと
を行うように設定された、請求項１８に記載の無線ネットワークノード（１１０）。
【請求項２０】
−  前記時間値に関する更新情報を入手することと、
−  前記時間値に関する前記更新情報を前記無線デバイス（１２０）に送付することと
を行うように設定された、請求項１９に記載の無線ネットワークノード（１１０）。
【発明の詳細な説明】
【技術分野】
【０００１】
本明細書における実施形態は、例えばテレコミュニケーションネットワークといった無線通信ネットワーク内で動作するデバイスに関するビーム管理をサポートするための方法および配置に関する。特に、本明細書における実施形態は、無線デバイス、無線ネットワークノードに関し、無線通信ネットワークにおける通信能力を再確立するための手順を開始するための、無線デバイス、無線ネットワークノードにおける方法に関する。
【背景技術】
【０００２】
単純に無線デバイスと名付けられることがある無線通信デバイスなどの通信デバイスは、例えば、ユーザ機器（ＵＥ：Ｕｓｅｒ  Ｅｑｕｉｐｍｅｎｔ）、モバイル端末、無線端末、および／または移動局（ＭＳ：Ｍｏｂｉｌｅ  Ｓｔａｔｉｏｎ）としても知られている可能性がある。無線デバイスは、無線（ｗｉｒｅｌｅｓｓ）通信システム、または無線（ｒａｄｉｏ）通信システムと呼ばれることもあり、時には、セルラー無線システム、セルラーネットワーク、またはセルラー通信システムとも呼ばれる、例えばセルラー通信ネットワークといった、無線通信ネットワークにおいて無線で通信することを可能にされる。無線通信ネットワークは、時には単純にネットワークと呼ばれ、ＮＷと略されることがある。通信は、無線通信ネットワーク内に備えられた無線アクセスネットワーク（ＲＡＮ：Ｒａｄｉｏ  Ａｃｃｅｓｓ  Ｎｅｔｗｏｒｋ）、また場合によっては、１つまたは複数のコアネットワーク（ＣＮ）を介して、例えば、２つの無線デバイス間、無線デバイスと普通の電話との間、および／または無線デバイスとサーバとの間で行われることが可能である。無線デバイスは、いくつかのさらなる例を挙げるだけでも、携帯電話、セルラー電話、ラップトップ、パーソナルデジタルアシスタント（ＰＤＡ）、タブレット型コンピュータとさらに呼ばれることがある。無線デバイスは、いわゆる、マシンツーマシン（Ｍ２Ｍ）デバイスまたはマシン型通信（ＭＴＣ）デバイス、すなわち、デバイスを直接的に使用する人間などの従来のユーザと必ずしも関連付けられないデバイスであることが可能である。ＭＴＣデバイスは、第３世代パートナーシッププロジェクト（３ＧＰＰ）によって規定されるようなものであることが可能である。
【０００３】
無線デバイスは、別の無線デバイスまたはサーバなどの別のエンティティとＲＡＮを介して音声および／またはデータを通信できるようにされた、例えば、携帯型、ポケット格納可能型（ｐｏｃｋｅｔ−ｓｔｏｒａｂｌｅ）、ハンドヘルド型、コンピュータ構成型（ｃｏｍｐｕｔｅｒ−ｃｏｍｐｒｉｓｅｄ）、または車載型モバイルデバイスであることが可能である。
【０００４】
無線通信ネットワークは、従来、セル領域に分割される地理領域をカバーし、各セル領域は、使用される技術および専門用語に応じて、時には、例えば「ｅＮＢ」、「ｅノードＢ」、「ノードＢ」、「Ｂノード」、またはＢＴＳ（ベーストランシーバ基地局）と呼ばれることがある、例えば無線基地局（ＲＢＳ）といった少なくとも１つの基地局、または基地局（ＢＳ）によってサーブされる。基地局は、送信電力に基づいて、また送信電力により、例えばセルサイズにも基づいて、例えば、マクロｅノードＢ、ホームｅノードＢ、またはピコ基地局などの、様々なクラスのものであることが可能である。セルは、典型的には、１つまたは複数のセルアイデンティティによって識別される。基地局サイトにおける基地局は、１つまたは複数のセルおよび／またはビームと関連付けられた無線カバレッジを提供する。ビームは、下記でさらに論じられる。セルおよびビームは、したがって、地理領域とそれぞれ関連付けられることが可能であり、ここで、セルおよびビームの無線カバレッジはそれぞれ、基地局サイトにおける基地局によって提供される。セルおよび／またはビームは、いくつかのセルおよび／またはビームが同じ地理領域をカバーするように重複することができる。基地局がセルおよび／またはビームを提供またはサービングするということは、無線カバレッジが提供される地理領域に位置している１つまたは複数の無線デバイスが、前記セルおよび／またはビーム内の基地局によってサーブされ得るように、基地局が無線カバレッジを提供するということを意味する。セルおよび／またはビームの中または近くで無線デバイスがサーブされると述べられるとき、これは、セルおよび／またはビームの無線カバレッジを基地局が提供することによって、無線デバイスがサーブされるということを意味する。１つの基地局が、１つまたはいくつかのセルおよび／またはビームをサーブすることができる。さらに各基地局は、１つまたはいくつかの通信技術をサポートすることができる。基地局は、無線周波数で動作するエアインターフェース上で、基地局の圏内にある無線デバイスと通信する。
【０００５】
ダウンリンクという表現は、ＤＬと略されることがあり、無線通信ネットワーク、例えば無線通信ネットワークの基地局から、無線デバイスへの送信経路に対して使用される。アップリンクという表現は、ＵＬと略されることがあり、逆方向、すなわち無線デバイスから無線通信ネットワーク、例えば無線通信ネットワークの基地局への送信経路に対して使用される。
【０００６】
いくつかのＲＡＮにおいて、いくつかの基地局は、例えばＵｎｉｖｅｒｓａｌ  Ｍｏｂｉｌｅ  Ｔｅｌｅｃｏｍｍｕｎｉｃａｔｉｏｎ  Ｓｙｓｔｅｍ  （ＵＭＴＳ）における無線ネットワークコントローラ（ＲＮＣ）といった無線ネットワークコントローラに、および／または互いに、例えば地上通信線またはマイクロ波によって接続されることが可能である。無線ネットワークコントローラは、時には、例えばＧＳＭにおいて基地局コントローラ（ＢＳＣ）とも称され、無線ネットワークコントローラに接続された複数の基地局の様々な活動を監督すること、および協調させることができる。ＧＳＭは、Ｇｌｏｂａｌ  Ｓｙｓｔｅｍ  ｆｏｒ  Ｍｏｂｉｌｅ  Ｃｏｍｍｕｎｉｃａｔｉｏｎ（本来は、Ｇｒｏｕｐｅ  Ｓｐｅｃｉａｌ  Ｍｏｂｉｌｅ）の省略形である。
【０００７】
３ＧＰＰ  Ｌｏｎｇ  Ｔｅｒｍ  Ｅｖｏｌｕｔｉｏｎ（ＬＴＥ）において、基地局は、ｅノードＢまたはｅＮＢと呼ばれることがあり、他の基地局に直接的に接続されることが可能であり、１つまたは複数のコアネットワークに直接的に接続されることが可能である。
【０００８】
ＵＭＴＳは、ＧＳＭから進化し、広帯域符号分割多元接続（ＷＣＤＭＡ）アクセス技術に基づく改良型モバイル通信サービスを提供する、第３世代または３Ｇと呼ばれることがある、第３世代移動体通信システムである。ＵＭＴＳ地上波無線アクセスネットワーク（ＵＴＲＡＮ）は本質的に、無線デバイスに対して広帯域符号分割多元接続を使用する無線アクセスネットワークである。
【０００９】
汎用パケット無線システム（ＧＰＲＳ：Ｇｅｎｅｒａｌ  Ｐａｃｋｅｔ  Ｒａｄｉｏ  Ｓｅｒｖｉｃｅ）は、２Ｇセルラー通信システムのグローバルシステムフォーモバイルコミュニケーションズ（ＧＳＭ）における、パケット指向のモバイルデータサービスである。
【００１０】
拡張ＧＰＲＳ（ＥＧＰＲＳ：Ｅｎｈａｎｃｅｄ  ＧＰＲＳ）、またはＩＭＴシングルキャリア（ＩＭＴ−ＳＣ：ＩＭＴ  Ｓｉｎｇｌｅ  Ｃａｒｒｉｅｒ）、またはグローバル進化型拡張データレート（Ｅｎｈａｎｃｅｄ  Ｄａｔａ  ｒａｔｅｓ  ｆｏｒ  Ｇｌｏｂａｌ  Ｅｖｏｌｕｔｉｏｎ）としても知られる、ＧＳＭ進化型高速データレート（ＥＤＧＥ）は、ＧＳＭの下位互換型延長としての改良型データ送信速度を可能にするデジタル携帯電話技術である。
【００１１】
高速パケットアクセス（ＨＳＰＡ：Ｈｉｇｈ  Ｓｐｅｅｄ  Ｐａｃｋｅｔ  Ａｃｃｅｓｓ）は、ＷＣＤＭＡを利用する既存の第３世代移動体通信ネットワークの性能を拡張および改善する、３ＧＰＰによって規定された、高速ダウンリンクパケットアクセス（ＨＳＤＰＡ）および高速アップリンクパケットアクセス（ＨＳＵＰＡ）という、２つのモバイル電話通信プロトコルの融合体である。このようなネットワークは、ＷＣＤＭＡ／ＨＳＰＡと名付けられることがある。
【００１２】
３ＧＰＰは、ＵＴＲＡＮ、およびＧＳＭベースの無線アクセスネットワーク技術を、例えばＬＴＥにおいて使用されるエボルブドＵＴＲＡＮ（Ｅ−ＵＴＲＡＮ）にさらに進化させることを試みてきた。
【００１３】
作業は、ＮｅＸｔ  ｇｅｎｅｒａｔｉｏｎ（ＮＸ）、Ｎｅｗ  Ｒａｄｉｏ（ＮＲ）、または第５世代（５Ｇ）と呼ばれることがある、次世代広域ネットワークを開発しながら進行中である。５Ｇ無線通信ネットワークについて検討中の設計原理は、超スリム化デザインに基礎を置くことである。これは、ＬＴＥにおける参照信号など、「常時オンの信号（ａｌｗａｙｓ  ｏｎ  ｓｉｇｎａｌｓ）」が、できる限りネットワークにおいて回避されなければならないということを意味する。この設計原理からの期待される恩恵は、例えば、ネットワークエネルギー消費量がかなり低くなること、スケーラビリティが良くなること、上位互換性の度合いが大きくなること、システムオーバヘッド信号からの干渉が小さくなり、その結果、低負荷シナリオにおけるスループットが高くなること、および無線デバイス中心の、またはいわゆるユーザ中心の、ビーム形成（ｂｅａｍ−ｆｏｒｍｉｎｇ）に対するサポートを改善することも含む。
【００１４】
最新式アンテナシステム（ＡＡＳ）は、技術が近年著しく進歩し、来たるべき時代における急速な技術発展も予見される領域である。総合的かつ巨大な多重入出力（ＭＩＭＯ）送受信における、最新式アンテナシステムは、将来の無線通信ネットワークにおいて、また５Ｇ無線通信ネットワークにおいて使用される可能性がある。
【００１５】
上述のものなどのビームは、従来、典型的には位相調整可能アンテナアレイまたはフェーズドアンテナアレイを用いる、いわゆるビーム形成を使用する送信と関連付けられ、同じ基礎技法が受信に対して等しく利用可能である。ビーム形成または空間フィルタリングは、指向性信号送信および／または受信のための信号処理技法として説明されることが可能である。これは、典型的には、特定の角度の信号が建設的干渉を体感する一方で、他の信号が相殺的干渉を体感するように、フェーズドアレイと単純に呼ばれることが多いフェーズドアンテナアレイにおける素子を組み合わせることによって実現される。ビーム形成は、空間的選択性を実現するために、送信エンドと受信エンドの両方において使用されることが可能である。このことにより、指向性のおかげで、無指向性の受信／送信と比較して、改善が実現する可能性がある。例えば、送信器は、位相シフト因子および振幅因子を含む素子ごとの重み（ｐｅｒ−ｅｌｅｍｅｎｔ  ｗｅｉｇｈｔ）を除けば、フェーズドアレイのすべての素子上で同じ信号を送信することによって送信ビーム形成（ｔｒａｎｓｍｉｔ  ｂｅａｍｆｏｒｍｉｎｇ）を行うことができる。同様に、送信器と同じであること、および／または送信器と同じように設定されることが可能な、フェーズドアレイを有する受信器は、素子ごとの重みを適用すること、およびさらなる処理の前に結果として生じる信号を追加することによって受信ビーム形成（ｒｅｃｅｉｖｅ  ｂｅａｍｆｏｒｍｉｎｇ）を行うことができる。選択性および指向性は、したがって、送信および受信において同じである可能性がある。送信に関して、これは、いくつかの方向または複数の方向において信号が強くなり、他の方向において弱くなるということを意味する。受信に関して、これは、互いに対して、いくつかの方向または複数の方向からの信号が増幅し、他の方向からの信号が減衰するということを意味する。典型的に同時というわけではないが、送信および受信に対して同じアンテナが使用されること、すなわち動作されることが可能である。
【００１６】
ビームおよびビーム形成は、アップリンクおよび／またはダウンリンクにおいて、ならびに両方の通信エンドにおいて、または１つの通信エンドにおいてのみ、利用されることが可能である。例えば無線通信ネットワークと通信デバイスとの間の通信に関するダウンリンクにおいて、無線通信ネットワークは、送信ビーム形成を使用することができ、および／または通信デバイスは、受信ビーム形成を使用することができる。これに対応して、無線通信ネットワークと通信デバイスとの間の通信に関するアップリンクにおいて、無線通信ネットワークは、受信ビーム形成を使用することができ、および／または通信デバイスは、送信ビーム形成を使用することができる。送信ビーム形成に対する同義の名前付けは、送信ビーム形成（ｔｒａｎｓｍｉｓｓｉｏｎ  ｂｅａｍｆｏｒｍｉｎｇ）または送信ビーム形成（ｔｒａｎｓｍｉｔｔｉｎｇ  ｂｅａｍｆｏｒｍｉｎｇ）であることが可能であり、受信ビーム形成に対する同義の名前付けは、受信ビーム形成（ｒｅｃｅｐｔｉｏｎ  ｂｅａｍｆｏｒｍｉｎｇ）または受信ビーム形成（ｒｅｃｅｉｖｉｎｇ  ｂｅａｍｆｏｒｍｉｎｇ）であることが可能である。従来、ビームに言及するとき、送信ビームは、すなわち送信ビーム形成によって形成および／または生成された無線ビーム、を意味する。しかし上記からわかるように、受信ビーム、すなわち受信ビーム形成と関連付けられたビーム、を指すことを同様に意味することも可能である。本明細書において、「ビーム」は、典型的には、当業者によって認識されるはずであるように、他に何も指示されない場合、送信ビームを指す。
【００１７】
ネットワークノードによって提供されるビームは、典型的には、同時に（セルと比較して）１台または数台の通信デバイスと通信するため、例えばサービングのため、のものであり、具体的には、これらのデバイスとの通信のためにセットアップされることが可能である。ビームは、ビームを使用して通信する、例えばビームによってサーブされる、１台または数台の通信デバイスに望ましいカバレッジを提供するために、ビーム形成によって動的に変更されることが可能である。通信デバイスによって提供されるビームは、典型的には、無線通信ネットワーク、特に無線通信ネットワークの１台または数台の無線ネットワークノード、典型的にはビームの主なターゲットである無線ネットワークノードまたは少なくとも無線ネットワークノード、との通信のためのものである。
【００１８】
送信ビームは、固定されること、および／または動的に割り当てられることが可能な、１つまたは複数の識別子および／またはアイデンティティと関連付けられることが可能である。ビームのセットもしくはグループ、すなわち、例として、例えばセル内のビームといった複数のビームのすべてに対して同じであるセルアイデンティティに対応する前記複数のビームに対して同じである識別子および／もしくはアイデンティティが存在することが可能であり、ならびに／または、例えばビームのセルもしくはグループ内の個々のビームといった、個々のビームを識別する識別子および／もしくはアイデンティティが存在することが可能である。ビーム識別子および／もしくはビームアイデンティティはビームを直接的に識別することができ、例えばビーム内で送信されることが可能であり、ならびに／または、例えばこのビームを使用して送信された受信参照信号の時間および／もしくは周波数を参照することによって、ビームを間接的に識別することができる。
【００１９】
ビーム形成は、受信信号強度を増加させ、増加させることによりカバレッジを改善すること、および不必要な干渉を低減させ、低減させることにより能力を改善することの両方によって、性能を改善する。ビーム形成は、無線ネットワークノードおよび／または無線デバイスの送信器と受信器の両方において利用されることが可能である。送信器において、ビーム形成は、要するに、特定の方向、または数方向に信号を送信し、他の方向には送信しないように送信器を設定することになる可能性がある。受信器において、ビーム形成は、要するに、一定の方向、または数方向からのみ信号を受信し、他の方向からは受信しないように受信器を設定することになる可能性がある。所与の通信リンクに対して、送信器および受信器においてビーム形成が利用されるとき、ビーム対は、両エンドにおいて選択されたビームとみなされることが可能である。一般に、ビーム形成利得は、使用されるビームの幅に関係し、ここで、比較的狭いビームは、広い方のビームより多くの利得をもたらす。
【００２０】
ビーム形成は、２つのユニット間、典型的には無線デバイスと基地局などの無線ネットワークノードとの間の通信に対して、どのような送信および受信ビーム、ならびに例えばビームの方向を使用すべきかを判断するために、ビーム検索、ビーム改良、および／またはビーム追跡など、ビーム管理のいくつかの形式を必要とする。ビーム検索は、未知の方向にある受信器が信号を受信できるようにするために、送信器が、いくつかのビームの中で信号をスイープすることを伴うことができる。ビーム検索は、受信器が、いくつかの受信ビームの中でスキャンすることを伴うこともでき、このことにより、当初未知であった方向からの信号を受信することができる。ビーム検索は、典型的には、どの１つまたは複数の送信ビームが、受信器への送信に最も適しているかを示すために、この受信器が、メッセージを送信器に送付することも伴う。ビーム改良および／またはビーム追跡は、使用中のビームまたはビーム対が既に選択されているときに利用される。ビーム改良は、例えば、より良い利得をもたらす、より狭いビームを発見して、選択されるビームを改善するためのものである。ビーム追跡は、例えば移動により条件が変わるときに、選択された１つまたは複数のビームを更新するためのものである。ビーム改良およびビーム追跡は、典型的には、通信のために現在使用されているビームとは異なるビームを一時的に評価して、このビームが、現在のビームよりも良いとみなされる場合、このビームにスイッチすることによって行われる。
【００２１】
ビーム検索は、送信器サイドと受信器サイトの両方において、検索すべき多くのビームが存在する場合、かなり時間が掛かる可能性があり、この間、通信は、典型的には可能ではない。ビーム改良およびビーム追跡は、通常、進行中の通信に対する妨害をほとんど引き起こさないか、全く引き起こさない進行中の活動である。
【００２２】
ネットワークは、典型的には、上述のように、例えばいくつかの送信ビームの中でスイープすることによって、ビーム管理をサポートするための周期的または継続的な参照信号を送信することになる。このような送信は、ここでは、ビーム参照信号（ＢＲＳ：Ｂｅａｍ  Ｒｅｆｅｒｅｎｃｅ  Ｓｉｇｎａｌ）または単純にＲＳと呼ばれる。無線デバイスは、ネットワークがＢＲＳを周期的または継続的に送信していると仮定することができるので、ネットワークからの明示的な関与がほとんどないか、全くない無線デバイスによって、ビーム管理のいくつかの態様が次に行われることが可能である。例えば無線デバイスは、典型的には、適切なネットワークビームおよび無線デバイスビームの選択をもたらすシステム取得手順の一部としてビーム検索を行う。次に、端末は、一定の時間および／または周波数と関連付けられた送信リソースを使用する、端末の選択された無線デバイスビームを使用してランダムアクセス送信を行い、ここで、選択されたネットワークビームを使用して、ネットワークがランダムアクセス送信を受信できるということが期待される。無線デバイスは、典型的には、新しい通信経路を検索するため、および現在使用されているビームの改良および追跡を行うために、通信が進行中であるときでさえＢＲＳを受信し続ける。
【００２３】
多くの無線通信ネットワークは、いくつかの種類の無線リンク監督（ｒａｄｉｏ−ｌｉｎｋ  ｓｕｐｅｒｖｉｓｉｏｎ）を含み、ここで、通信品質が定期的にチェックされ、品質が受入れ不能な場合、または通信が失われている場合、いくつかのアクションが行われる。無線リンク監督は、例えば無線デバイスまたはネットワークノードといった受信器が、同期信号または参照信号の存在および／または品質をチェックすることを伴うことが多い。無線リンク監督は、再送信プロトコルにおける再送信の数を監視すること、および以前に送信されたリクエストメッセージに対するレスポンスを受信するための時間を監視することを伴うことも可能である。これらのチェックのいずれかが深刻な問題を示す場合、例えば無線デバイスまたはネットワークノードといった受信器は、無線リンク故障を宣言し、いくつかのアクションを開始することが多い。ネットワークノードが無線デバイスとの通信を失った場合、アクションは、この無線デバイスに関するいくつかまたはすべてのネットワークリソースを開放することを伴うことが可能である。無線デバイスがネットワークとの通信を失った場合、アクションは、ネットワークからの同期信号および参照信号を検索することを伴うことが可能であり、このような信号が発見された場合、ネットワークにアクセスすることを再び試みる。ビーム形成システムの場合、このようなアクションは、典型的には、ビーム検索を伴う。
【発明の概要】
【００２４】
本明細書において示される１つまたは複数の問題を緩和または少なくとも低減させることが目的である。
【００２５】
したがって、目的は、無線通信ネットワーク内のデバイスに関するビーム操作またはビーム管理に対して１つまたは複数の改善をもたらすためのものであることが可能である。
【００２６】
本明細書における実施形態の１つの態様によれば、目的は、無線通信ネットワークにおける通信能力を再確立するための手順を開始するための、無線デバイスによって行われる方法によって実現される。無線デバイスおよび無線ネットワークノードは、無線通信ネットワーク内で動作する。
【００２７】
無線デバイスは、無線デバイスに固有の第１の信号を無線ネットワークノードから受信する。
【００２８】
第１の信号の最後の受領から一定時間が経過したことに応答して、無線デバイスは、ビーム対を使用して、無線デバイスと無線ネットワークノードとの間の通信能力を再確立するための手順を開始する。
【００２９】
本明細書における実施形態の別の態様によれば、目的は、無線通信ネットワークにおける通信能力を再確立するための手順を開始するために、無線デバイスによって実現される。無線デバイスおよび無線ネットワークノードは、無線通信ネットワーク内で動作するように設定される。
【００３０】
無線デバイスは、無線デバイスに固有の第１の信号を無線ネットワークノードから受信するように設定される。
【００３１】
無線デバイスは、ビーム対を使用して、無線デバイスと無線ネットワークノードとの間の通信能力を再確立するための手順を開始するように設定される。無線デバイスは、第１の信号の最後の受領から一定時間が経過したことに応答して、開始するように設定される。
【００３２】
本明細書における実施形態の別の態様によれば、目的は、無線通信ネットワークにおける通信能力を再確立するための手順を開始するための、無線ネットワークノードによって行われる方法によって実現される。無線ネットワークノードおよび無線デバイスは、無線通信ネットワーク内で動作する。
【００３３】
無線ネットワークノードは、第１の信号の最後の送信から一定時間が経過する前に、第１の信号を無線デバイスに送付し、第１の信号は、無線デバイスに固有のものである。
【００３４】
本明細書における実施形態の別の態様によれば、目的は、無線通信ネットワークにおける通信能力を再確立するための手順を開始するために、無線ネットワークノードによって実現される。無線ネットワークノードおよび無線デバイスは、無線通信ネットワーク内で動作するように設定される。
【００３５】
無線ネットワークノードは、第１の信号の最後の送信から一定時間が経過する前に、第１の信号を無線デバイスに送付するように設定され、第１の信号は、無線デバイスに固有のものである。
【００３６】
本明細書における実施形態の別の態様によれば、目的は、少なくとも１つのプロセッサ上で実行されると、無線デバイスによって行われる方法を少なくとも１つのプロセッサに行わせる命令を有するコンピュータプログラムによって実現される。
【００３７】
本明細書における実施形態の別の態様によれば、目的は、少なくとも１つのプロセッサ上で実行されると、無線ネットワークノードによって行われる方法を少なくとも１つのプロセッサに行わせる命令を有するコンピュータプログラムによって実現される。
【００３８】
本明細書における実施形態の別の態様によれば、目的は、コンピュータプログラムを有する担体によって実現され、担体は、電子信号、光信号、無線信号、またはコンピュータ可読ストレージ媒体のうちの１つである。
【００３９】
ビーム対を使用して、無線デバイスと無線ネットワークノードとの間の通信能力を再確立するための手順を無線デバイスが開始して以来、第１の信号の最後の受領から一定時間が経過したときに、無線デバイスは、不要なオーバヘッドのない必要なビーム管理手順をトリガしている。これは、無線通信ネットワークにおける改善された性能をもたらす。
【００４０】
本明細書において開示された実施形態の長所は、ビーム追跡失敗が迅速に検出されること、およびビーム追跡が回復されることを可能にするビーム追跡監督を、これらの実施形態が可能にするというものである。
【００４１】
本明細書において開示された実施形態のさらなる長所は、動的にセットされることが可能な一定時間の使用が、ビーム追跡監督を、不要なオーバヘッドなく行い、現在のビーム局面に適応することを可能にするというものである。
【００４２】
特定の特徴およびこれらの長所を含む、本明細書において開示された実施形態の様々な態様は、図１〜図８が示された以下の詳細な説明および添付の図面から容易に理解されるであろう。
【図面の簡単な説明】
【００４３】
【図１】無線通信ネットワークの実施形態を概略的に示す図である。
【図２】無線通信ネットワークの実施形態の概略的に組み合わされた流れ図および信号方式の図である。
【図３】無線デバイスによって行われる方法の実施形態を描写する流れ図である。
【図４】無線デバイスの実施形態を示す概略ブロック図である。
【図５】ネットワークノードの実施形態を示す概略ブロック図である。
【図６】コンピュータ可読媒体の実施形態を示す概略図である。
【図７】無線デバイスによって行われる方法の実施形態を描写する流れ図である。
【図８】無線ネットワークノードによって行われる方法の実施形態を描写する流れ図である。
【発明を実施するための形態】
【００４４】
以下の説明の全体を通して、適用可能なとき、類似の要素、ユニット、モジュール、回路、ノード、部品、アイテム、または特徴を表すために、類似の参照数字が使用されることがある。図において、任意選択であり、したがっていくつかの実施形態においてのみ現れる特徴は、典型的には、破線で示される。
【００４５】
以下において、本明細書における実施形態は、例示的な実施形態によって示される。これらの実施形態は相互に排他的なものではないということに留意されたい。１つの実施形態からの構成要素は、別の実施形態にあるものとして暗黙のうちに仮定されることがあり、他の例示的な実施形態において、これらの構成要素がどのように使用され得るかは当業者には明らかであろう。
【００４６】
本明細書における実施形態に向けた展開の一部として、背景技術において示された問題が最初にさらに論じられる。
【００４７】
背景技術において述べたような無線リンク監督のための従来の方法は、背景技術において説明されたような、ビーム形成およびビーム管理によって発生する可能性がある問題を検出することができないか、少なくとも非常に適切ではない。例えば無線デバイスは、固有のビームに対する、基地局などの無線通信ネットワークによって送信される同期信号または参照信号を良い品質で受信することができる可能性があるが、同時に、データまたは制御信号をこの無線デバイスに送信しようとするとき、基地局などの無線通信ネットワークが別のビームを使用しているので、通信が不可能である可能性がある。
【００４８】
図１は、本明細書における実施形態に関連し、本明細書における実施形態が実装され得る無線通信ネットワーク１００の例を概略的に描写する概略ブロック図である。無線通信ネットワーク１００は、無線アクセスネットワーク（ＲＡＮ）１０１部分およびコアネットワーク（ＣＮ）１０２部分を含むことができる。無線通信ネットワーク１００は、典型的には、例えば５Ｇと呼ばれることもあるＮｅｗ  Ｒａｄｉｏ（ＮＲ）といった、少なくとも１つの無線アクセス技術（ＲＡＴ）をサポートするセルラー通信ネットワークなどのテレコミュニケーションネットワークまたはシステムである。
【００４９】
無線通信ネットワーク１００は、通信的に相互接続されるネットワークノードを含む。ネットワークノードは、論理的および／または物理的なものであることが可能であり、１つまたは複数の物理デバイス内に位置している。無線通信ネットワーク１００は、例えば、無線ネットワークノードの例である第１のネットワークノード１１０および第２のネットワークノード１１１といった、１つまたは複数のネットワークノードを含む。無線ネットワークノードは、ＲＡＮ１０１などのＲＡＮに典型的に含まれるネットワークノードであり、および／または無線ネットワークノードは、基地局などの無線送信ネットワークノードであるか、無線送信ネットワークノードを備え、および／または無線ネットワークノードは、１つもしくは複数の無線送信ネットワークノードを制御する制御ノードであるか、制御ノードを備える。
【００５０】
無線通信ネットワーク１００、または具体的には、例えば第１のネットワークノード１１０および第２のネットワークノード１１１といった、無線通信ネットワーク１００の１つまたは複数のネットワークノードは、１つまたは複数の通信デバイスとの通信のために、例えば第１のネットワークノード１１０および／または第２のネットワークノード１１１といった無線通信ネットワーク１００によって提供される、例えばダウンリンクビーム１１５ａおよび／もしくはダウンリンクビーム１１５ｂ、ならびに／またはダウンリンクビーム１１６といった、１つまたは複数のビームを使用して、無線デバイス１２０などの前記１つもしくは複数の通信デバイスをサーブすること、および／または制御すること、および／または管理すること、および／または前記１つもしくは複数の通信デバイスと通信すること、を行うように設定されることが可能である。前記１つまたは複数の通信デバイスは、アップリンクビームをそれぞれ提供することができ、例えば通信デバイス１２０は、無線通信ネットワーク１００との通信のためにアップリンクビーム１１７を提供することができる。
【００５１】
各ビームは、特定の無線アクセス技術（ＲＡＴ）と関連付けられることが可能である。当業者に認識されるはずであるように、ビームは、典型的に無指向性であり、および／またはより静的な無線カバレッジを提供する従来のセルと比較して、より動的で、比較的狭く、指向性の無線カバレッジと関連付けられる。ビームは、典型的には、ビーム形成によって形成および／または生成され、例えばどの方向に受け手が位置しているかに基づいて、受け手のより多くの特性のうちの１つなど、ビームの１つまたは複数の受け手に基づいて、形成され、および／または動的に適応される。例えば、ダウンリンクビーム１１５ａは、通信デバイス１２０がどこに位置しているかに基づいて提供されることが可能であり、アップリンクビーム１１７は、第１のネットワークノード１１０がどこに位置しているかに基づいて提供されることが可能である。背景技術において述べたように、ビームおよびビーム形成の提供は、典型的には、ビーム検索、ビーム改良、およびビーム追跡などのビーム管理および関連手順も伴う。前記ビームおよびビーム形成は、さらに、本明細書における他の場所で説明されるようなものであることが可能である。
【００５２】
さらに無線通信ネットワーク１００は、例えば中心ノード１３０といった１つまたは複数の中心ノード、すなわち、共通または中心であり、例えば複数の無線ネットワークノードといった複数の他のノードに通信的に接続され、これらのノードを管理および／または制御するためのものであることが可能な、１つまたは複数のネットワークノードを含むことができる。中心ノードは、例えば、コアネットワークノード、すなわちＣＮ１０２のネットワークノード部分であることが可能である。
【００５３】
例えばＣＮ１０２といった無線通信ネットワークは、例えばインターネットといった外部ネットワーク２００にさらに通信的に接続され、このことにより、例えば、外部ネットワーク２００へのアクセスを前記通信デバイスに提供することが可能である。通信デバイス１２０は、したがって、外部ネットワーク２００と、正確に言えば、例えば他の無線通信ネットワークに接続された、また外部ネットワーク２００へのアクセスによって接続された、サーバおよび／または他の通信デバイスといった、１つまたは複数の他のデバイスと、無線通信ネットワーク１００を介して通信することができる。
【００５４】
さらに、無線通信ネットワーク１００および無線通信ネットワーク１００のノードとの通信のための、例えば外部ノード２０１といった、１つまたは複数の外部ノードが存在することが可能である。外部ノード２０１は、例えば外部管理ノードであることが可能である。このような外部ノードは、外部ネットワーク２００に含まれることが可能であり、また外部ネットワーク２００とは別のものであることが可能である。
【００５５】
さらに、１つまたは複数の外部ノードは、通信インターフェースを介してクラウドの外部に一定のサービスを提供するための、図に示されるようなコンピュータクラウド２０２などの、サーバもしくはコンピュータのクラウドシステムと呼ばれること、またはクラウドと単純に名付けられること、が可能な、いわゆるコンピュータクラウドまたはコンピューティングクラウドに対応するか、含まれることが可能である。前記サービスを提供するためのクラウドに含まれるノード等の正確な設定は、クラウドの外部には知られていない可能性がある。「クラウド」という名前は、サービスを提供する実際のデバイスまたはネットワーク要素が、典型的には、クラウドによってあいまいにされる場合など、提供されるサービスのユーザには不可視であることに対するメタファとして説明されることが多い。コンピュータクラウド２０２は、いつものように正確に言えば、コンピュータクラウド２０２の１つまたは複数のノードは、無線通信ネットワーク１００または無線通信ネットワーク１００の一定のノードに通信的に接続されることが可能であり、例えば、無線通信ネットワーク１００の一定の機能または機能性を提供すること、または容易にすることができる１つまたは複数のサービスを提供していることが可能であり、例えば、本明細書における実施形態による１つまたは複数のアクションを行うことに関わることが可能である。コンピュータクラウド２０２は、外部ネットワーク２００に含まれることが可能であり、また外部ネットワーク２００とは別のものであることが可能である。
【００５６】
当業者にははっきりわかるはずであるように、図１は概略的なものにすぎず、例示のためのものであるということ、および図に示されたすべてのものが、本明細書におけるすべての実施形態に必要とされる可能性があるわけではないということに注目が集まる。同様に、実際には無線通信ネットワーク１００に対応する１つまたは複数の無線通信ネットワークは、典型的には、当業者によって理解されるように、例えば基地局、無線ネットワークノード、さらなるビーム、および／またはセル等といった、コアネットワークノードなどのいくつかのさらなるネットワークノードを含むが、これらは、簡素化のために本明細書では図示されていない。
【００５７】
例えば図１、図２、図３、図４、および図７に関連したデバイスの実施形態が例示される。
【００５８】
例えば図１、図２、図５、および図８に関連した無線通信ネットワークおよびネットワークノードの実施形態が例示される。
【００５９】
示されたアクションは、任意の適切な順序で行われること、および／または示されたアクションが可能かつ適切なときに完全または部分的に重複して行われることが可能であるということに留意されたい。点線は、すべての実施形態に存在しているわけではない特徴を示そうとするものである。
【００６０】
下記のアクションのいずれかは、適切なとき、アクションを行うための下記に示されたもの以外の、デバイスおよび／もしくはシステムなどの、例えば外部の１つもしくは複数のエンティティといった、別の１つもしくは複数のエンティティを完全もしくは部分的に伴うこと、ならびに／または別の１つまたは複数のエンティティによって開始されること、および／もしくはトリガされることが可能である。このような開始は、例えばデバイスおよび／もしくは無線通信ネットワークからのリクエストに応答して、ならびに／または前記別の１つもしくは複数のエンティティにおいて実行するプログラムコードから生じるいくつかのイベントに応答して、前記別のエンティティによって例えばトリガされることが可能である。前記別の１つもしくは複数のエンティティは、いわゆるコンピュータクラウド、もしくは単純にクラウドに対応すること、もしくは含まれることが可能であり、ならびに／または前記別の１つもしくは複数のエンティティとの通信は、１つもしくは複数のクラウドサービスを用いて行われることが可能である。
【００６１】
図２は、本明細書におけるいくつかの実施形態を概略的に示すための、組み合わされたシグナリング図および流れ図である。
【００６２】
本明細書における実施形態は、例えば以下を含む。
【００６３】
例えば無線デバイス１２０といったデバイス４００によって行われる第１の方法。方法は、例えば無線通信ネットワーク１００といった無線通信ネットワーク内のデバイスに関するビーム操作またはビーム管理、すなわち、無線デバイス１２０が、無線通信ネットワーク１００内で動作可能なとき、および／または無線通信ネットワーク１００によって、例えば無線ネットワークノード１１０などのネットワークノード５００によって、サーブされるときのビーム操作またはビーム管理、をサポートするためのものであることが可能である。方法は、一方で、下記で説明されるものなどの、ビーム管理手順をトリガするため、スタートするため、または開始するための方法として説明されることが可能である。
【００６４】
第１の方法は、以下のアクションの１つまたは複数を含む。
【００６５】
例えばトリガ信号などの第１の信号を、例えば無線ネットワークノード１１０といった無線通信ネットワーク１００のネットワークノードからなど、無線通信ネットワーク１００から受信すること２０４。例えば、特にデバイス１２０、４００による受領のために送付された、ならびに／またはデバイス１２０、４００に固有の、および／もしくはデバイス１２０、４００によって監視される、第１の信号が特にターゲットにされる。
【００６６】
いくつかの実施形態において、第１の信号は、物理ダウンリンク制御チャネル（ＰＤＣＣＨ）上で受信されることが可能な、ダウンリンク割当メッセージまたはアップリンクグラントメッセージなどの、ダウンリンク制御情報（ＤＣＩ：Ｄｏｗｎｌｉｎｋ  Ｃｏｎｔｒｏｌ  Ｉｎｆｏｒｍａｔｉｏｎ）メッセージを含むか、ダウンリンク制御情報（ＤＣＩ）メッセージであるか、ダウンリンク制御情報（ＤＣＩ）メッセージに対応する。ダウンリンク割当メッセージは、デバイス１２０、４００が受信しようと試みるはずの、ダウンリンクデータ送信を示すメッセージとして説明されることが可能である。アップリンクグラントメッセージは、デバイスがアップリンクデータ送信を行うはずであることを示すメッセージとして説明されることが可能である。
【００６７】
上記の実施形態と組み合わされることが可能ないくつかの実施形態において、第１の信号は、存在する参照信号、ならびに／または、例えば無線通信ネットワークによって事前に決定されること、および／もしくは知られていることが可能な一定の周期性で、定期的にデバイスによって監視される参照信号、であるべき、典型的にはビーム形成されたＲＳといった参照信号（ＲＳ）を含むか、参照信号（ＲＳ）であるか、参照信号（ＲＳ）に対応する。例えばネットワークノード１１０、５００といった無線通信ネットワーク１００は、例えばデバイスに対する周期性を設定することによって、いつデバイス１２０、４００がＲＳを監視するかを設定することができる。デバイスは、したがって、一定のサブフレームにおいて、および／または周期性に従って、など、定期的にデバイスに利用可能なものとしてＲＳを知ることができ、予想および／または仮定することができる。ＲＳは、この時に、例えば同じサブフレーム内に、デバイスがＤＣＩを検出するか否かには依存せずに利用可能であることが可能である。
【００６８】
デバイス４００および／または処理モジュール４０１および／または処理回路４０４および／またはＩ／Ｏモジュール４０５および／または受信モジュール４０７は、このアクションを行うように動作可能であること、または設定されることが可能である。
【００６９】
受信すること２０４は、下記で説明されることになるアクション７０２に関係する。
【００７０】
前記第１の信号の、先の、好ましくは、最後の受領から一定時間が過ぎるか経過したことに応答して、例えばビーム追跡回復手順といったビーム管理手順を開始すること２１４。
【００７１】
手順は、例えば１つまたは複数のビーム、典型的には、選択されたビーム、または選択されたビーム対を使用して、デバイス１２０、４００と、無線通信ネットワーク１００との間の通信能力を回復または再確立するための手順として説明されることが可能であり、ここで、前記１つまたは複数のビームは、例えばアップリンク通信のために、デバイス１２０、４００によって形成または生成されたビームであることが可能であり、１つまたは複数のビームは、例えばダウンリンク通信のために、無線通信ネットワークによって形成または生成されることが可能である。前記１つまたは複数のビームは、デバイスと無線通信ネットワークとの間の通信のために既に使用中のビームであることが可能であり、またこのような通信にまだ含まれていないビームなど、この通信のための新しいビーム、ならびに／またはデバイスおよび／もしくは無線通信ネットワークに完全にもしくは部分的に知られていない可能性のある新しいビームであることが可能である。新しいビームである後者のケースにおいて、手順は、典型的には、ビーム検索に対応することが可能な、最初に新しいビームを発見すること、および／または選択することを含む。両方のケースにおいて、手順はその後、典型的には、ランダムアクセス送信を用いるなどして、デバイスが、前記１つまたは複数のビームを使用して、無線通信ネットワークにアクセスすることを含む。
【００７２】
前記第１の信号の先の受領から時間が過ぎるか経過したことに加えて、手順の開始は、例えば第１の信号を送信するチャネルといった、第１の信号と関連付けられた通信チャネルの、例えば品質測定および／または品質評価といった、品質に応答するものであることが可能である。第１の信号がＲＳを含むとき、品質は、都合のよいことに、例えば、ＲＳのために、および／またはＲＳに対して計測されたＲＳに関連している。手順の開始は、好ましくは、例えば無線通信ネットワークによって完全にまたは部分的に事前決定されること、および／または設定されることが可能な尺度に従って、品質が不十分であると考えられるときに行われる。例えば、品質は、閾値、典型的には、例えばブロードキャストシグナリングなど、専用または一般的なシグナリングによって、無線通信ネットワークによって固定されること、または設定可能であることが可能な閾値と比較されることが可能である。品質は、例えばＲＳの複数の受領に対する一定の周期の中、および／または複数のＲＳ受領間隔もしくは周期の中で平均されることが可能であり、このことにより例えば閾値と比較される尺度とともに使用されることが可能な、例えば平均品質測定値といった平均品質を生じる。
【００７３】
上述のビーム検索は、以下のうちの１つまたは複数を伴うことができる。
【００７４】
いくつかのビームの中で第２の信号をスイープすることなど、デバイスが第２の信号を送信することであり、このことにより、まだ知られていない方向にある可能性のある無線通信ネットワークの１つまたは複数のネットワークノードなどの無線通信ネットワークが、第２の信号を受信すること、ならびにデバイスおよび／またはデバイスからの送信ビームについての知識を得ることを可能にする。
【００７５】
デバイスにとって当初、完全にまたは部分的に未知の、および／または未知の方向にある、１つまたは複数の第３の信号を、例えば、無線通信ネットワークによって送信された、いくつかのビームを通じて、またはいくつかのビームの中でデバイスがスキャンしたことによる結果として、無線通信ネットワークからデバイスが受信することであり、このことにより、受信ビームについての知識をデバイスが得ることを可能にする。
【００７６】
デバイス４００および／または処理モジュール４０１および／または処理回路４０４および／または開始モジュール４１０は、このアクションを行うように動作可能であること、または設定されることが可能である。
【００７７】
開始すること２１４は、下記で説明されることになるアクション７０７に関係する。
【００７８】
いくつかの実施形態において、第１の方法は、以下のアクションの１つまたは複数をさらに含む。
【００７９】
時間値を入手すること２０３。時間値は、例えば、典型的には、カウントがゼロに達するまで、時間が過ぎるとともに、時間とともに線形的に低減されることによって、時間が過ぎるか経過するとともにカウントダウンするためのタイマー値、またはゼロからタイマー値に達するまでなど、時間が過ぎるとともにカウントアップされることになるタイマー値であることが可能である。別の可能性は、これは実践においてあまり重要性のあるものではない可能性があるが、このような協定世界時（ＵＴＣ）または類似のものである、一定の時間計測基準による時点に対応する時間値である。
【００８０】
時間値は、都合のよいことに、無線通信ネットワークによって送付され、したがって無線通信ネットワークから受信され、ならびに／または、事前に決定されること、および／もしくは事前に規定されることが可能である。時間値は、例えば規格の中で規定されることが可能である。時間値は、例えば、ＲＲＣ層において、またはＭＡＣ制御要素によって、無線通信ネットワークから信号を送られる。
【００８１】
デバイス４００および／または処理モジュール４０１および／または処理回路４０４および／またはＩ／Ｏモジュール４０５および／または入手モジュール４０６は、このアクションを行うように動作可能であること、または設定されることが可能である。
【００８２】
入手すること２０３は、下記で説明されることになるアクション７０１に関係する。
【００８３】
前記第１の信号の前記最後の受領からの時間を計測すること２０５、２１０。
【００８４】
デバイス４００および／または処理モジュール４０１および／または処理回路４０４および／または計測モジュール４０８は、このアクションを行うように動作可能であること、または設定されることが可能である。
【００８５】
計測すること２０５、２１０は、下記で説明されることになるアクション７０３およびアクション７０５に関係する。
【００８６】
例えば、時間が過ぎるとともに時間値をカウントアップするかカウントダウンすることに基づいて、および／または計測時間と時間値の比較に基づいて、など、前記入手された時間値および計測時間に基づいて、前記一定時間が過ぎたか否かを判断すること２１２。
【００８７】
デバイス４００および／または処理モジュール４０１および／または処理回路４０４および／または判断モジュール４０９は、このアクションを行うように動作可能であること、または設定されることが可能である。
【００８８】
判断すること２１２は、下記で説明されることになるアクション７０６に関係する。
【００８９】
上記において、第１の信号は、したがって、計測するためのトリガ信号として作用するものとみなされることが可能であり、入手された時間値は、計測するためのターゲットに対応するものとみなされることが可能である。上記のように時間値を入手することは、タイマーをセットすることに対応するものとみなされることが可能であり、上記のように時間を計測することは、タイマーを動作させること、または動かすこととみなされることが可能である。タイマーは、本明細書における他の場所において、ビーム追跡ウォッチドッグタイマー、または単純にウォッチドッグタイマーと呼ばれることが可能である。前記一定時間は、タイマー値であることが可能な時間値に対応することが可能である。タイマーの満了前など、前記一定時間が過ぎ、手順が開始されることになるということが判断される前に、第１の信号が受信されるか、受信され、十分な品質であるとき、時間の計測が再スタートされるはずであり、例えばタイマーが再スタートされるはずである。
【００９０】
いくつかの実施形態において、手順の開始は、さらに、デバイスに対するネットワーク送受信ポイント（ＴＲＰ：Ｎｅｔｗｏｒｋ  Ｔｒａｎｓｍｉｓｓｉｏｎ  ａｎｄ  Ｒｅｃｅｐｔｉｏｎ  Ｐｏｉｎｔ）を無線通信ネットワークがスイッチしようとしていることをデバイスによって検出することに応答するものである。デバイスは、時間の計測を行うことによってこの検出を行うこと、および／またはこのような検出に応答して、前記一定時間が過ぎたか否かを判断することができる。言い換えると、いくつかの実施形態において、手順の開始は、前記検出に応答して可能にされるだけであり、ならびに／または前記タイマーの場合、タイマーは、前記検出に応答して有効にされ、および／もしくは使用されるだけである。
【００９１】
いくつかの実施形態において、第１の方法は、以下のアクションの１つまたは複数をさらに含む。
【００９２】
更新時間値などの時間値に関する、例えば更新された、情報をさらに入手すること２０９。いくつかの実施形態において、更新情報は、無線通信ネットワークから受信されることによって入手される。いくつかの実施形態において、更新情報は、デバイスによって選択および／または形成および／または生成されることによって入手される。
【００９３】
デバイス４００および／または処理モジュール４０１および／または処理回路４０４および／またはＩ／Ｏモジュール４０５および／または入手モジュール４０６は、このアクションを行うように動作可能であること、または設定されることが可能である。
【００９４】
入手すること２０９は、下記で説明されることになるアクション７０４に関係する。
【００９５】
時間値に関する受信されたさらなる情報に基づいて、前記一定時間が過ぎたか否かを判断すること２１２。例えば、タイマーは再スタートされることが可能であり、および／または、例えば受信されたさらなる情報に基づいて、新しいタイマー値を利用すること、例えば使用することが可能である。
【００９６】
デバイス４００および／または処理モジュール４０１および／または処理回路４０４および／または判断モジュール４０９は、このアクションを行うように動作可能であること、または設定されることが可能である。
【００９７】
さらなる情報は、すぐに、または前記第１の信号の次の受領時に、例えば次の受領に応答して、使用されることなど、利用されることが可能である。いくつかの実施形態において、さらなる情報の受領は、以前に入手された時間値とは異なる値、または以前に入手された更新時間値とは異なる値であり、以前に入手された値を置き替えることができる更新時間値の受領である。
【００９８】
いくつかの実施形態において、さらなる情報の受領が時間計測を再スタートさせる。
【００９９】
例えばさらなる情報がすぐに利用され、さらなる情報の受領が時間計測を再スタートさせるいくつかの実施形態において、さらなる情報は、以前に入手された時間値と同じ値である更新時間値であることが可能であるが、更新時間値は、それでもなお、更新時間値が、例えば時間計測を再スタートさせ、このことにより、ビーム管理手順が次に開始されることが可能になる前の時間を増加させるので、有用である可能性があるということに留意されたい。
【０１００】
判断すること２１２は、下記で説明されることになるアクション７０６に関係する。
【０１０１】
いくつかの実施形態において、デバイス１２０、４００は、例えば時間計測を停止すること、ならびに／またはデバイスが前記時間計測を行うのを停止し、および／もしくは望ましい期間、開始を妨げることになる、一定のさらなる情報を選択および／もしくは形成および／もしくは生成することによって、前記望ましい期間、ビーム管理手順を開始するのを抑制する。デバイス１２０、４００は、例えばこの目的のために、閾値に対するスケジュールされたトラフィック、および閾値が事前に決定されることが可能なトラフィックがほとんどないときといった、デバイスに関する予想トラフィックがほとんどないか全くないとき、この抑制を行うことができる。
【０１０２】
いくつかの実施形態において、時間値および／または更新時間値は、デバイス１２０、４００に対するネットワーク送受信ポイント（ＴＲＰ）ポイントを、無線通信ネットワーク１００がスイッチしようとしていること、および例えばスイッチすることになることを、デバイス１２０、４００によって検出することに基づき、および／または検出することに基づいて、例えば応答して送付される。この場合には、すなわち、このことに応答して、デバイスは、前記ビーム管理手順が開始されるか、開始されることが可能になるまでの短縮時間を生じる更新時間値を、例えば選択および／または形成および／または生成することができる。
【０１０３】
例えば無線ネットワークノード１１０といった、無線通信ネットワークの１つまたは複数のネットワークノード５００によって行われるなど、無線通信ネットワーク、例えば無線通信ネットワーク１００によって行われる第２の方法。したがって、無線通信ネットワーク１００を参照しながら下記で説明されるアクションは、ネットワークノード５００、例えば無線ネットワークノード１１０、によって行われることが可能であるということを理解されたい。方法は、無線通信ネットワーク１００内のデバイス４００、例えば無線デバイス１２０に関するビーム操作またはビーム管理、すなわち、無線デバイス１２０が、無線通信ネットワーク１００内で動作可能であるとき、および／または無線通信ネットワーク１００によってサーブされるときのビーム操作またはビーム管理をサポートするためのものであることが可能である。方法は一方で、上述のものなどの、ビーム管理手順をトリガするため、スタートするため、または開始するための方法として説明されることが可能である。
【０１０４】
第２の方法は、以下のアクションの１つまたは複数を含む。
【０１０５】
時間値を入手すること２０１。時間値は、第１の方法に対して上述されたようなものであることが可能である。時間値は、無線通信ネットワークにおいて内部で入手されること、または外部ソースから受信されることが可能である。無線通信ネットワークは、例えば時間値を選択および／または形成および／または生成することができる。時間値は、事前に決められることが可能である。
【０１０６】
ネットワークノード５００および／または処理モジュール５０１および／または処理回路５０４および／またはＩ／Ｏモジュール５０５および／または入手モジュール５０６は、このアクションを行うように動作可能であること、または設定されることが可能である。
【０１０７】
入手すること２０１は、下記で説明されることになるアクション８０１に関係する。
【０１０８】
無線デバイス１２０、４００に時間値を送付すること２０２。時間値は、第１の方法に対して上述されたように送付されることが可能である。
【０１０９】
ネットワークノード５００および／または処理モジュール５０１および／または処理回路５０４および／またはＩ／Ｏモジュール５０５および／または送付モジュール５０７は、このアクションを行うように動作可能であること、または設定されることが可能である。
【０１１０】
送付すること２０２は、下記で説明されることになるアクション８０２に関係する。
【０１１１】
デバイス１２０、４００に第１の信号を送付すること２０４。第１の信号は、第１の方法に対して上述されたようなものであることが可能であり、第１の方法に対して上述されたように送付されることが可能であり、すなわち、例えば、ＤＣＩメッセージおよび／またはＲＳであることが可能である。第１の信号は、したがって、定期的に（再）送付されること等が可能である。
【０１１２】
さらに、いくつかの実施形態において、無線通信ネットワーク１００は、無線通信ネットワーク１００が、まだ第１の信号を再び送付していない、例えば第１の信号をまだ再送付していない、というだけで、例えばタイマーが満了しないようにするなど、前記一定時間が過ぎたとデバイス１２０、４００が判断しないように、第１の信号を送付する。これは、例えば、前回、すなわち最後に、第１の信号が送付されてから、前記一定時間が過ぎるか経過する前に、必要なら、無線通信ネットワーク１００が、第１の信号を再送付することによって行われることが可能である。第１の信号は、このような場合、判断しないようにすること以外の任意の目的で送付される必要はなくてよく、したがって、例えば、デバイスのタイマーを再スタートさせるためにだけ、送付されることが可能である。例えば、第１の信号がＤＣＩメッセージであるとき、無線通信ネットワーク１００は、送付を行うようにデバイスをスケジュールすることができるが、スケジュールは、したがって、ダミースケジューリング、例えばダミーグラントであることが可能である。
【０１１３】
したがって、無線通信ネットワーク１００は、無線通信ネットワーク１００がデバイス１２０、４００に第１の信号を送付した最後の時間からの計測時間に基づいて、デバイス１２０、４００に第１の信号を再び送付することができ、その結果、第１の信号は、一定時間が過ぎる前に再び送付、すなわち再送付される。一定時間は、第１の方法に対して上述されたようなものであることが可能である。無線通信ネットワーク１００は、したがって、前記一定時間がいつ生じるかを判断すること、ならびに、前記一定時間が生じることにより、例えば、時間が過ぎるとともに時間値をカウントアップするかカウントダウンすることに基づいて、および／または計測時間と時間値の比較に基づいて、など、入手された時間値および計測時間に基づいて、前記一定時間が生じることが起こる前の適切な時点を判断することができる。
【０１１４】
ネットワークノード５００および／または処理モジュール５０１および／または処理回路５０４および／またはＩ／Ｏモジュール５０５および／または送付モジュール５０７は、このアクションを行うように動作可能であること、または設定されることが可能である。
【０１１５】
送付すること２０２は、下記で説明されることになるアクション８０２に関係する。
【０１１６】
更新時間値などの時間値に関するさらなる情報、例えば更新情報を入手すること２０７。さらなる情報は、第１の方法に対して上述されたようなものであることが可能である。さらなる情報は、無線通信ネットワーク１００において内部で入手されること、または外部ソースから受信されることが可能である。無線通信ネットワーク１００は、さらなる情報を、例えば選択および／または形成および／または生成することができる。さらなる情報は、事前に決められることが可能である。
【０１１７】
ネットワークノード５００および／または処理モジュール５０１および／または処理回路５０４および／またはＩ／Ｏモジュール５０５および／または入手モジュール５０６は、このアクションを行うように動作可能であること、または設定されることが可能である。
【０１１８】
入手すること２０６は、下記で説明されることになるアクション８０５に関係する。
【０１１９】
時間値に関する入手されたさらなる情報をデバイス１２０、４００に送付すること２０８。
【０１２０】
いくつかの実施形態において、無線通信ネットワーク１００は、無線通信ネットワーク１００が第１の信号を再び送付していない、すなわち第１の信号を再送付していない、というだけで、例えばタイマーが満了しないようにするなど、前記一定時間が過ぎたとデバイス１２０、４００が判断しないように、無線通信デバイス１２０、４００における時間計測を再スタートさせるため、および／または別の時間値で使用中の時間値を置き替えるために、前記更新時間値であることが可能なさらなる情報、例えば更新情報を送付する。これを行う理由は、したがって、第１の信号を再び送付することに関して上述されたものと同じ理由であることが可能である。さらなる情報は、したがって、無線通信ネットワーク１００がデバイス１２０、４００に第１の信号を送付した最後の時間からの計測時間に基づいて送付されることも可能である。無線通信ネットワーク１００は、したがって、この場合、前記一定時間がいつ生じるかを判断すること、ならびに、前記一定時間が生じることにより、時間が過ぎるとともに時間値をカウントアップするかカウントダウンすることに基づいて、および／または計測時間と時間値の比較に基づいて、など、入手された時間値および計測時間に基づいて、前記一定時間が生じることが起こる前の適切な時点を選択および／または発見できることも可能である。
【０１２１】
ネットワークノード５００および／または処理モジュール５０１および／または処理回路５０４および／またはＩ／Ｏモジュール５０５および／または送付モジュール５０７は、このアクションを行うように動作可能であること、または設定されることが可能である。
【０１２２】
送付すること２０８は、下記で説明されることになるアクション８０６に関係する。
【０１２３】
いくつかの実施形態において、時間値および／または更新時間値は、デバイス１０２、４００に関する予想トラフィック、すなわち、ダウンリンクおよび／またはアップリンクにおける予想トラフィックに基づき、および／または基づいて送付される。無線通信ネットワーク１００は、予想トラフィックに基づいて、時間値および／または更新時間値を、例えば形成または選択し、その後、時間値および／または更新時間値をデバイスに送付することができる。予想トラフィックを判断することは、例えば、デバイス１２０、４００との間のアップリンク送信および／またはダウンリンク送信のための、スケジュールされたデータおよび／またはバッファされたデータに基づくことが可能である。例えば、バッファされたデータの量が、事前に決められることが可能な一定値または閾値を上回る場合、例えば既に使用中のタイマー値に関連して減少する更新タイマー値といった、前記ビーム管理手順が開始されるか、開始されることが可能になるまでの短縮時間を生じる更新時間値は、デバイス１２０、４００に送付されることが可能である。別の例において、前記ビーム管理手順が開始されるか、開始されることが可能になるまでの短縮時間を生じる更新時間値は、予想トラフィックが低減もしくは減少することに応答するなど、低減もしくは減少するとき、および／またはデバイスがあまり頻繁にスケジュールされていないときに、デバイス１２０、４００に送付されることが可能である。これに対応して、前記ビーム管理手順が開始されるか、開始されることが可能になるまでの時間が長くなる更新時間値は、予想トラフィックが増加することに応答するなど、増加するとき、および／またはデバイスがさらに頻繁にスケジュールされるときに送付されることが可能である。例えば増加または減少といった時間値の変化の度合い、および時間値の変化が予想トラフィックの変化にどの程度関係するかは、事前に決められることが可能な一定尺度に従うことが可能である。
【０１２４】
いくつかの実施形態において、無線通信ネットワーク１００は、例えば、デバイス１２０、４００が前記時間計測を行うのを停止する一定の更新情報を送付することによって、および／または前記望ましい期間、開始を妨げることになる時間値を送付することによって、少なくとも望ましい期間、デバイス１２０、４００によってビーム管理手順が開始されることになるか、不可能になるように、デバイスを制御することができる。無線通信ネットワーク１００は、例えばこの目的のために、閾値に対するトラフィック、および閾値が事前に決められることが可能なトラフィックがほとんどないときといった、デバイス１２０、４００に関する予想トラフィックがほとんどないか全くないとき、この制御を行うことができる。
【０１２５】
いくつかの実施形態において、時間値および／または更新時間値は、デバイス１２０、４００に対するネットワーク送受信ポイント（ＴＲＰ）ポイントを無線通信ネットワーク１００がスイッチしようとしているとき、および例えばスイッチすることになるときに基づいて、および／または基づいて送付され、例えばスイッチしようとしていること、および例えばスイッチすることになることに応答して送付される。これが真実のとき、例えばデバイスに対するＴＲＰスイッチの機会が検出されるとき、無線通信ネットワーク１００は、前記ビーム管理手順が開始されるか、開始されることが可能になるまでの短縮時間を生じる更新時間値を、例えば形成または選択し、その後、デバイス１２０、４００に更新時間値を送付することができる。
【０１２６】
本明細書における実施形態は、ビーム追跡監督を容易にするか、可能にさえし、および／またはビーム追跡失敗が迅速に検出され、ビーム追跡が回復されることを可能にする。本明細書における実施形態は、比較的少ないリソースがビーム追跡などのビーム管理に費やされなければならない場合にさらに信頼できる通信を容易にし、可能にする。本明細書における実施形態は、いつビーム管理が開始されることになるかに関して動的な調節を可能にし、このことにより、ビーム追跡監督などのビーム管理および／または関連監督が、不要なオーバヘッドなく行われることを可能にする。
【０１２７】
本明細書において開示された、いくつかの実施形態の理解を深めるために、図７が、図３の前に説明される。
【０１２８】
無線通信ネットワーク１００における通信能力を再確立するための手順を開始するための、無線デバイスによって行われる方法１２０の例が、図７に描写された流れ図を参照しながら次に説明される。上述のように、無線デバイス１２０および無線ネットワークノード１１０は、無線通信ネットワーク１００内で動作する
【０１２９】
方法は、以下のアクションの１つまたは複数を含む。これらのアクションは、任意の適切な順序で行われることが可能であるということ、およびいくつかのアクションは、組み合わされることが可能であるということを理解されたい。
【０１３０】
アクション７０１
いくつかの実施形態において、無線デバイス１２０は時間値を入手する。前述のように、時間値は、時間が過ぎるか経過するとともにカウントダウンするための時間値であることが可能である。
【０１３１】
時間値は、無線デバイス１２０自体によって入手されることが可能であり、例えば無線デバイスは、時間値で設定されることが可能であり、または時間値は、ネットワークノード１１０から時間値を受信することによって、無線デバイス１２０によって入手されることが可能である。
【０１３２】
例えば時間値は、無線デバイス１２０に対するネットワーク送受信ポイント（ＴＲＰ）を、無線通信ネットワーク１００がスイッチしようとしていることを検出することに基づくことが可能である。
【０１３３】
一方またはさらに、時間値は、無線デバイス１２０との間の予想トラフィックに基づくことが可能である。
【０１３４】
これは、前述のアクション２０３に関係する。
【０１３５】
アクション７０２
無線デバイス１２０は、無線デバイス１２０に固有の第１の信号を無線ネットワークノード１１０から受信する。このことにより、無線デバイス１２０は、無線ネットワークノード１１０との通信が可能であること、例えばビーム対が存在すること、および無線ネットワークノード１１０との通信能力を再確立するための手順を無線デバイス１２０が開始する必要がないことを知るようになる。
【０１３６】
前述のように、第１の信号は、ＤＣＩメッセージまたは参照信号を含むことができる。
【０１３７】
これは、前述のアクション２０４に関係する。
【０１３８】
アクション７０３
いくつかの実施形態において、無線デバイス１２０は、第１の信号の最後の受領からの時間を計測する。このことにより、無線デバイス１２０は、第１の信号の最後の受領から一定時間が経ったときを知ることになる。上記のアクション２０４において説明されたように、また下記のアクション７０７において説明されることになるように、無線デバイス１２０は、第１の信号の最後の受領から一定時間が経過した場合、無線ネットワークノード１１０との通信能力を再確立するための、例えばビーム対を確立または再確立するための、手順を開始するためのものである。
【０１３９】
これは、前述のアクション２０５に関係する。
【０１４０】
アクション７０４
いくつかの実施形態において、無線デバイス１２０は、時間値に関する更新情報を入手する。例えば時間値に関する更新情報は、時間値の変化に関することが可能であり、例えば時間値は、延長または短縮されることが可能である。
【０１４１】
時間値に関する更新情報は、無線デバイス１２０自体によって入手されることが可能であり、例えば無線デバイスは、時間値に関する更新情報で設定されることが可能であり、または時間値に関する更新情報は、ネットワークノード１１０から時間値に関する更新情報を受信することによって無線デバイス１２０によって入手されることが可能である。
【０１４２】
例えば時間値に関する更新情報は、無線デバイス１２０に対するネットワーク送受信ポイント（ＴＲＰ）を、無線通信ネットワーク１００がスイッチしようとしていることを検出することに基づくことが可能である。
【０１４３】
一方またはさらに、時間値に関する更新情報は、無線デバイス１２０との間の予想トラフィックに基づくことが可能である。
【０１４４】
更新情報の受領は、時間計測を再スタートさせることができる。
【０１４５】
これは、前述のアクション２０９に関係する。
【０１４６】
アクション７０５
いくつかの実施形態において、無線デバイス１２０は、第１の信号の最後の受領からの時間を計測する。したがって、上記のアクション７０４において説明されたように、無線デバイス１２０が時間値に関する更新情報を入手したいくつかの実施形態において、無線デバイス１２０は、第１の信号の最後の受領の受信からの時間を計測し続ける。
【０１４７】
これは、前述のアクション２１０に関係する。
【０１４８】
アクション７０６
いくつかの実施形態において、無線デバイス１２０は、入手された時間値および計測時間に基づいて、一定時間が経過したか否かを判断する。
【０１４９】
無線デバイス１２０は、時間値に関する更新情報に基づいて一定時間が経過したか否かを判断することができる。
【０１５０】
これは、前述のアクション２１２に関係する。
【０１５１】
アクション７０７
第１の信号の最後の受領から一定時間が経過したことに応答して、無線デバイス１２０は、ビーム対を使用して、無線デバイス１２０と無線ネットワークノード１１０との間の通信能力を再確立するための手順を開始する。
【０１５２】
これは、前述のアクション２１４に関係する。
【０１５３】
図３は、タイマーに関する手順を概略的に示す流れ図であり、例えば無線デバイス１２０といった無線デバイスにおいて、本明細書におけるいくつかの実施形態がどのように実装されることが可能であるかを示すと考えられることも可能である。無線デバイスは、ＤＣＩおよび／またはＵＥ固有ＲＳを定期的に、例えば継続的および／または、または周期的に、受信しようと試みる。ＤＣＩもしくはＵＥ固有ＲＳが受信されるときはいつでも、または受信され、十分な品質であるときはいつでも、例えばウォッチドッグタイマーといったタイマーは再スタートされることが可能である。ＤＣＩもしくはＲＳが時間内に受信されない場合、またはＲＳは受信されるが不十分な品質の場合、タイマーは再スタートすることができず、したがって満了になる可能性がある。例えばウォッチドッグタイマーといったタイマーが満了になると、ビーム追跡回復が開始される可能性がある。
【０１５４】
本明細書におけるいくつかの実施形態によれば、ビーム追跡ウォッチドッグタイマーは、例えば無線通信ネットワーク１００といった無線通信ネットワーク内で動作可能な、例えば無線デバイス１２０、４００といった無線デバイスに導入されることが可能であり、このタイマーは、無線通信ネットワークによって特に無線デバイスに送付された信号を無線デバイスが受信してから時間がどれだけ過ぎたかを監視する。無線デバイス１２０、４００が、ＤＣＩまたはＲＳを受信しようと試み、ＤＣＩまたはＲＳが受信されるか否かを判断することが示される、図３におけるアクション３０１およびアクション３０２を参照されたい。受信された場合、アクション３０３においてタイマーが再スタートされる。受信されない場合、およびウォッチドッグタイマーが満了になるとき（図３のアクション３０４を参照されたい）、無線デバイスは、ビーム追跡を回復するために、例えばビーム検索手順（図３のアクション３０５を参照されたい）を開始することができる。ビーム検索手順は、無線デバイスがランダムアクセス信号をネットワークに送信し、レスポンスを待つことを伴うことができる。無線通信ネットワークは、無線通信ネットワークが受信器に対して固有の送信を行ってから、例えば前記信号を送付してから、時間がどれだけ過ぎたかを監視することができ、ウォッチドッグタイマーが、そうでなければ満了になる前に、新たな送信を行うことができる。いくつかの実施形態において、無線デバイスに知られた周期性で周期的な参照信号が送信される。図３のアクション３０３に示されたように、信号の新たな送信の受信がタイマーを再スタートさせる。
【０１５５】
ＤＣＩベースのアプローチに対応するいくつかの実施形態において、信号は、ＤＣＩメッセージであることが可能であり、ウォッチドッグタイマーが満了になろうとするときに送付すべき有用なデータが存在しない場合、無線デバイスがビーム検索手順を開始しないように、および／またはビーム検索手順に入らないように、ネットワークによってダミー送信が行われることが可能である。ウォッチドッグタイマー値は、どのくらいの頻度で送信が、次に、すなわち将来に、必要になると予想されるかに基づいて調節されることが可能であり、またビーム追跡が失敗すると予想される可能性がどのくらいあるかに基づくことが可能である。調節は、送信器が新たなタイマー値を受信器に送付することよって、暗黙的または明示的に行われることが可能である。タイマー調節は、例えばビーム追跡の変化といった他のイベントに基づいて暗黙的に行われることも可能である。
【０１５６】
前記ビーム追跡ウォッチドッグタイマーは、ビーム追跡監督を可能にすることができ、ビーム追跡失敗が迅速に検出されること、およびビーム追跡が回復されることを可能にする。これは、ビーム追跡に過剰なリソースを費やすことなく、信頼できる通信を可能にする。動的なタイマー調節は、ビーム追跡監督が不要なオーバヘッドなく行われることを可能にする。
【０１５７】
ビーム追跡ウォッチドッグタイマーは、例えば無線デバイス１２０、４００といった無線通信デバイス内に備えられることが可能であり、例えばＭＡＣ層の一部であることが可能である。この場合、タイマー値は、規格によってセットされること、例えばＲＲＣ層においてネットワークから信号を送られることなど高い方の層によって設定されること、またはネットワークからＭＡＣ制御要素によって信号を送られること、が可能である。タイマーは、この意味をもつように割り当てられた、例えばゼロといった特殊値および／または固有値で無効にされることが可能である。特に断りのない限り、または文脈から理解されない限り、タイマーが有効にされるということが下記で仮定されることが可能である。
【０１５８】
タイマーは、特に端末に送付されるダウンリンク制御情報（ＤＣＩ）メッセージが受信されるたびに、スタートまたは再スタートされることが可能である（アクション３０３を参照されたい）。ＤＣＩは、典型的には、物理ダウンリンク制御チャネル（ＰＤＣＣＨ）上で受信される。ＤＣＩの例は、無線デバイスが受信しようと試みるはずのダウンリンクデータ送信を典型的に示すダウンリンク割当て、および無線デバイスがアップリンクデータ送信を行うはずであることを典型的に示すアップリンクグラントである。
【０１５９】
ＤＣＩベースのアプローチと名付けられることが可能な上記のアプローチへの追加または代替として、ＲＳベースのアプローチが使用されることが可能である。ＲＳベースのアプローチにおいて、ネットワークノード１１０、５００を用いる、例えば無線通信ネットワーク１００といったネットワークは、以下におけるＲＳ、すなわち無線デバイスに固有のＲＳによって例示されることが可能な１つまたは複数の無線デバイス固有ＲＳを、例えば無線デバイス１２０、４００といった各無線デバイスに送信することができ、例えば一定の既知の周期性、または最大周期性で、無線デバイスによって監視される検索空間におけるビーム形成されたＤＣＩによってビーム形成されるはずであり、ビーム形成されたＤＣＩと関連付けられるはずである。周期性は、無線デバイスに対して設定されることが可能である。無線デバイスは、したがって、既知の周期性によって指定されることが可能な一定の既知の時間にＲＳを受信することができる。したがって、無線デバイスは、無線デバイスがこのサブフレーム内でＤＣＩを検出するのに成功するか否かに関係なく、例えばこのようにして与えられることが可能な周期性に従って、少なくともこのビーム形成されたＲＳが、いくつかのサブフレーム内に存在することになるということを知っていることが可能である。無線デバイスは、ＲＳを使用して、信号対雑音比（ＳＮＲ）などのチャネル品質を計測することもできる。タイマーは、例えば専用シグナリングおよび／もしくはブロードキャストシグナリングによって設定されることが可能な、または事前に決定されることが可能な固定値もしくは固有値であることが可能な、一定の閾値を、例えば測定値が上回るときなど、チャネル品質が十分に良いとき、スタートおよび／または再スタートされることが可能である。チャネル品質測定値は、例えば複数の周期または周期性に対応する、複数の送信全体で平均化されることが可能であり、平均化された測定値は、ウォッチドッグタイマーのスタートまたは再スタートに対する影響を判定するために、閾値と比較されることが可能である。したがって、ＲＳが受信されるが、品質が不十分であるとみなされる場合、タイマーは、ＲＳの受領にもかかわらず、依然として再スタートされることは不可能である。別のオプションは、タイマーのタイムアウトに対する、セットされることが可能な、最大でも既知の値に対して、１つの送信から次の送信への時間が選択されるというものである。
【０１６０】
無線デバイス固有ＲＳは、アップリンク送信を意味することが可能な、無線デバイスのビーム追跡回復手順を無線デバイスが同時にスタートさせないように、様々な無線デバイスに対する時間内および／またはサブフレーム内で、シフトされることが可能である。これは、同じサブフレーム内の、複数の無線デバイスからのアップリンク上の過度の負荷を、無線デバイス固有ＲＳが回避するときに有益である。
【０１６１】
タイマーが満了になると、無線デバイスは、例えばビーム管理手順を開始することによって、ビーム追跡を回復しようと試みるはずである（アクション３０４およびアクション３０５を参照されたい）。第１のステップは、通信に有用な可能性のあるビームまたはビーム対を発見するために、ビーム検索を開始することであることが可能である。任意選択で、十分に良いと推定されるビームまたはビーム対を無線デバイスが既に有している場合、無線デバイスは、ビーム検索をスキップして、第２のステップにじかに進むことができる。上述のように、ビーム対は、ネットワークビームおよび無線デバイスビームなど、例えばダウンリンクビームおよびアップリンクビームといった、両エンドにおけるビームを指す。第２のステップにおいて、無線デバイスは、発見したビームまたはビーム対を使用して、ネットワークへのランダムアクセス送信を行う。
【０１６２】
ＲＳは、したがって、ネットワークノード１１０、５００を用いる、例えば無線通信ネットワーク１００といったネットワークが、適切に選ばれたビームを使用する場合、例えば無線デバイス１２０、４００といった無線デバイスによって受信されることだけが可能であり、その他の場合、ネットワークは、無線デバイスがＲＳを受信できずに、または不十分な品質で、このＲＳを送信していることになり、タイマーが満了になる可能性があり、例えばビーム追跡回復手順が開始される可能性がある。同時に、無線デバイスは、他のビームを使用する他の送信、およびビーム追跡を回復するときに発見される可能性のある他の送信を受信できる可能性がある。
【０１６３】
ＤＣＩベースのアプローチにおいて、ネットワークは、ウォッチドッグタイマーの不要な満了を避けるように、無線デバイスをスケジュールすることができる。したがって、ネットワークは、例えば無線デバイス１２０、４００といった端末へのＤＣＩの最後の送信からの時間を監視することができる。タイマーが満了間近になると、ネットワークは、端末に送付される必要があるデータが現在なくても、タイマーの満了を避けるために端末をスケジュールすること、すなわち一種のダミースケジューリング、を選ぶことができる。別のオプションは、タイマーが満了間近になるときに、例えば、より大きいタイマー値などの新しいタイマー値、または以前と同じタイマー値といった、更新されたタイマー値を無線デバイスに送付することによって、ネットワークがタイマーセッティングを更新するというものであり、このことにより、タイマーを再スタートさせ、および／またはタイマーカウントを延長する。満了間近は、無線デバイスが、意図的に送付されるものを受信すること、および意図的に送付されるものに対して作用することができるようになるということが、知られているか、少なくとも非常に可能性があるときであることが可能である。
【０１６４】
さらに、例えばＤＣＩベースのアプローチにおいて、タイマーは、他のイベントに基づいて更新されることが可能である。例えば、無線デバイスに対するネットワーク送受信ポイント（ＴＲＰ）をネットワークがスイッチしようとしているとき、ビーム追跡喪失のリスクが高くなる可能性がある。したがって、ＴＲＰのスイッチが行われようとしているとネットワークが判断するとき、例えば、ＴＲＰスイッチが発生することになる、または発生する可能性があるとの徴候があるとき、ネットワークは、タイマーの満了の時間を減少させるタイマー値を端末に送付することができる。別のオプションは、端末がＴＲＰを、スイッチすることになるかスイッチするとき、例えばスイッチすることになるかスイッチすることに応答して、より短いタイマー値が、例えば暗黙的に、端末によって使用されるというものである。さらに別のオプションは、タイマーがデフォルトで無効にされること、およびＴＲＰのスイッチが行われようとしているときにだけ有効にされることが可能であるというものである。
【０１６５】
タイマー値を更新することは、無線デバイスにおいて、その後、無線デバイスによって直接的に使用される更新値で既存のタイマー値を置き替えるということを生じることが可能であり、進行中のタイマーは、満了にならずに再スタートされることが可能であり、および／または他のいくつかの理由でタイマーが再スタートする次の時間に、新たなタイマー値が使用されることが可能である。
【０１６６】
本明細書において開示された、いくつかの実施形態の理解を深めるために、図４〜図６の前に図８が説明される。
【０１６７】
無線通信ネットワーク１００における通信能力を再確立するための手順を開始するための、無線ネットワークノード１１０によって行われる方法の例が、図８に描写された流れ図を参照しながら、次に説明される。上述のように、無線デバイス１２０および無線ネットワークノード１１０は、無線通信ネットワーク１００内で動作する。
【０１６８】
方法は、以下のアクションの１つまたは複数を含む。これらのアクションは、任意の適切な順序で行われることが可能であるということ、およびいくつかのアクションは組み合わされること可能であるということを理解されたい。
【０１６９】
アクション８０１
いくつかの実施形態において、無線ネットワークノード１１０は、時間値を入手する。前述のように、時間値は、時間が過ぎるか経過するとともにカウントダウンするための時間値であることが可能である。
【０１７０】
前述のように、時間値は、無線デバイス１２０との間の予想トラフィックに基づくことが可能である。
【０１７１】
一方またはさらに、時間値は、無線デバイス１２０に対するネットワークＴＲＰを無線通信ネットワーク１００がスイッチしようとしていることを検出することに基づくことが可能である。
【０１７２】
これは、前述のアクション２０１に関係する。
【０１７３】
アクション８０２
いくつかの実施形態において、無線ネットワークノード１１０は、無線デバイス１２０に時間値を送付する。このことにより、無線デバイス１２０は、使用されることになる時間値を入手することになる。
【０１７４】
これは、前述のアクション２０２に関係する。
【０１７５】
アクション８０３
無線ネットワークノード１１０は、第１の信号の最後の送信から一定時間が経過する前に、第１の信号を無線デバイス１２０に送付し、第１の信号は、無線デバイス１２０に固有のものである。
【０１７６】
前述のように、第１の信号は、ＤＣＩメッセージまたは参照信号を含むことができる。
【０１７７】
これは、前述のアクション２０４に関係する。
【０１７８】
アクション８０４
いくつかの実施形態において、無線ネットワークノード１１０は、第１の信号の最後の送信からの時間を計測する。このことにより、無線ネットワークノード１１０は、一定時間が経過する前に、第１の信号が無線デバイス１２０によって受信されるように、第１の信号の新たな送信をいつ送付するべきかを制御することができる。
【０１７９】
これは、前述のアクション２０６に関係する。
【０１８０】
アクション８０５
いくつかの実施形態において、無線ネットワークノード１１０は、時間値に関する更新情報を入手する。
【０１８１】
前述のように、時間値に関する更新情報は、無線デバイス１２０との間の予想トラフィックに基づくことが可能である。
【０１８２】
一方またはさらに、時間値に関する更新情報は、無線デバイス１２０に対するネットワークＴＲＰを無線通信ネットワーク１００がスイッチしようとしていることを検出することに基づくことが可能である。
【０１８３】
これは、前述のアクション２０７に関係する。
【０１８４】
アクション８０６
いくつかの実施形態において、無線ネットワークノード１１０は、時間値に関する更新情報を無線デバイス１２０に送付する。
【０１８５】
これは、前述のアクション２０８に関係する。
【０１８６】
アクション８０７
いくつかの実施形態において、無線ネットワークノード１１０は、第１の信号の最後の送信からの時間を計測する。
【０１８７】
これは、前述のアクション２１１に関係する。
【０１８８】
アクション８０８
いくつかの実施形態において、無線ネットワークノード１１０は、入手された時間値および計測時間に基づいて、いつ一定時間が発生するかを判断する。したがって、無線ネットワークノード１１０は、例えば入手された時間値および計測時間に基づいて、一定時間が過ぎたか否かを判断することができる。
【０１８９】
これは、前述のアクション２１３に関係する。
【０１９０】
アクション８０９
いくつかの実施形態において、無線ネットワークノード１１０は、ビーム対を使用して、無線デバイス１２０と無線ネットワークノード１１０との間の通信能力を再確立するための手順に関係するシグナリングを無線デバイス１２０から受信する。
【０１９１】
これは、ビーム対を使用して、無線デバイス１２０と無線ネットワークノード１１０との間の通信能力を再確立するための手順などのビーム管理手順を無線デバイス１２０が開始する、前述のアクション２１４に関係する。
【０１９２】
図４および図５は、例えば無線デバイス１２０であることが可能なデバイス４００、および例えば第１の無線ネットワークノード１１０であることが可能なネットワークノード５００の実施形態、ならびにこれらのそれぞれが、例えば個々のノードに関係する、例えば個々のノードによって行われるための、本明細書で説明される方法および／または１つもしくは複数のアクションを行うように、どのように設定されることが可能であるかを示すための概略ブロック図である。したがって、デバイス４００およびネットワークノード５００は、それぞれ、以下を備えることができる。
【０１９３】
手段、例えば１つもしくは複数のプロセッサを含む１つもしくは複数のハードウェアモジュール、ならびに／または前記方法および／もしくはアクションを行うための１つまたは複数のソフトウェアモジュールなどの処理モジュール４０１、５０１。
【０１９４】
コンピュータプログラム４０３、５０３を、収めること、または格納することなど、有することができるメモリ４０２、５０２。コンピュータプログラムは、前記方法および／またはアクションを個々のノードが行うように、個々のノードによって直接的または間接的に実行可能な「命令」または「コード」を含む。メモリは、１つまたは複数のメモリユニットを備えることができ、本明細書における実施形態の機能およびアクションに関与する、または機能およびアクションを行うための、設定および／またはアプリケーションなどのデータを格納するようにさらに配置されることが可能である。
【０１９５】
処理回路４０４、５０４は、例示のハードウェアモジュールのようなものであり、１つまたは複数のプロセッサを備えるか、１つまたは複数のプロセッサに対応することが可能である。いくつかの実施形態において、処理モジュールは、例えば処理回路「の形で含まれる」か、処理回路「によって実現される」など、処理回路を備えることができる。これらの実施形態において、メモリは、処理回路によって実行可能なコンピュータプログラムを有することができ、これにより、コンピュータプログラムを有するノードは、前記方法および／またはアクションを行うように動作可能であるか、設定される。
【０１９６】
他の外部ノードまたはデバイスとの間で情報を送付および／または受信することなど、他のユニットおよび／またはノードとの間で任意の通信を行うことに関与するように、例えば行うことよって関与するように、設定された入出力（Ｉ／Ｏ）モジュール４０５、５０５。Ｉ／Ｏモジュールは、適用可能なときに、例えば受信モジュールといった入手モジュール、および／または送付モジュールによって例示されることが可能である。
【０１９７】
各ノード４００、５００は、本開示の他の場所で説明された可能性があるような、他の例示ハードウェアモジュールおよび／またはソフトウェアモジュールを備えることもでき、これらのモジュールは、個々の処理回路によって、完全にまたは部分的に実行されることが可能である。
【０１９８】
したがって、無線通信ネットワーク１００における通信能力を再確立するための手順を開始するための方法を行うために、無線デバイス１２０、４００は、図４に描写された配置に従って設定されることが可能である。前述のように、無線デバイス１２０、４００および無線ネットワークノード１１０、５００は、無線通信ネットワーク１００内で動作するように設定される。
【０１９９】
前述のように、無線デバイス１２０、４００は、１つもしくは複数の無線デバイス、および／または例えば無線ネットワークノード１１０、５００といった１つもしくは複数のネットワークノードと通信するように設定された入出力モジュール４０５を備える。入出力モジュール４０５は、無線受信器（図示せず）および無線送信器（図示せず）を備えることができる。
【０２００】
無線デバイス１２０、４００は、時間値を、入手するように設定された入手モジュール４０６を用いて入手するように設定される。入手モジュール４０６は、処理モジュール４０１によって実行されること、もしくは処理モジュール４０１と通信して配置されること、および／または無線デバイス１２０、４００の処理回路４０４によって実行されることが可能である。
【０２０１】
いくつかの実施形態において、無線デバイス１２０は、時間値を入手するように設定される。
【０２０２】
無線デバイス１２０は、時間値に関する更新情報を入手するように設定されることが可能である。
【０２０３】
前述のように、時間値および／または時間値に関する更新情報は、無線デバイス１２０に対するネットワークＴＲＰを無線通信ネットワーク１００がスイッチしようとしていることを検出することに基づくことが可能である。
【０２０４】
同様に前述のように、時間値および／または時間値に関する更新情報は、無線デバイス１２０との間の予想トラフィックに基づくことが可能である。
【０２０５】
無線デバイス１２０は、無線ネットワークノード１１０から更新情報を受信することによって更新情報を入手することができる。このような実施形態において、更新情報の受領が時間計測を再スタートさせる。したがって、無線デバイス１２０は、更新情報の受領時に時間計測を再スタートさせるように設定されることが可能である。
【０２０６】
無線デバイス１２０、４００は、例えばネットワークノード１１０、５００といった１つもしくは複数のネットワークノードからの、および／または１つもしくは複数の他の無線デバイスへの、例えばデータパケット、信号、または情報といった送信を、受信するように設定された受信モジュール４０７を用いて受信するように設定される。受信モジュール４０７は、処理モジュール４０１によって実行されること、もしくは処理モジュール４０１と通信して配置されること、および／または無線デバイス１２０、４００の処理回路４０４によって実行されることが可能である。
【０２０７】
無線デバイス１２０は、無線デバイス１２０に固有の第１の信号を無線ネットワークノード１１０から受信するように設定される。
【０２０８】
前述のように、第１の信号は、ＤＣＩメッセージまたは参照信号を含むことができる。
【０２０９】
無線デバイス１２０、４００は、例えば時間周期といった時間を、計測するように設定された計測モジュール４０８を用いて計測するように設定される。計測モジュール４０８は、処理モジュール４０１によって実行されること、もしくは処理モジュール４０１と通信して配置されること、および／または無線デバイス１２０、４００の処理回路４０４によって実行されることが可能である。
【０２１０】
いくつかの実施形態において、無線デバイス１２０は、第１の信号の最後の受領からの時間を計測するように設定される。
【０２１１】
無線デバイス１２０、４００は、時間または時間周期が経過したか否かを、判断するように設定された判断モジュール４０９を用いて判断するように設定される。判断モジュール４０９は、処理モジュール４０１によって実行されること、もしくは処理モジュール４０１と通信して配置されること、および／または無線デバイス１２０、４００の処理回路４０４によって実行されることが可能である。
【０２１２】
いくつかの実施形態において、無線デバイス１２０は、入手された時間値および計測時間に基づいて、一定時間が経過したか否かを判断するように設定される。
【０２１３】
いくつかの実施形態において、無線デバイス１２０は、時間値に関する更新情報を入手するように設定され、無線デバイス１２０は、時間値に関する更新情報に基づいて、一定時間が経過したか否かを判断するようにさらに設定される。
【０２１４】
無線デバイス１２０、４００は、無線通信ネットワーク１００における通信能力を再確立するための手順を、開始するように設定された開始モジュール４１０を用いて開始するように設定される。開始モジュール４１０は、処理モジュール４０１によって実行されること、もしくは処理モジュール４０１と通信して配置されること、および／または無線デバイス１２０、４００の処理回路４０４によって実行されることが可能である。
【０２１５】
無線デバイス１２０は、ビーム対を使用して、無線デバイス１２０と無線ネットワークノード１１０との間の通信能力を再確立するための手順を開始するように設定される。無線デバイス１２０は、第１の信号の最後の受領から一定時間が経過したことに応答して、手順を開始するように設定される。
【０２１６】
さらに、無線通信ネットワーク１００における通信能力を再確立するための手順を開始するための方法を行うために、無線ネットワークノード１１０、５００は、図５に描写された配置に従って設定されることが可能である。前述のように、無線デバイス１２０、４００および無線ネットワークノード１１０、５００は、無線通信ネットワーク１００内で動作するように設定される。
【０２１７】
前述のように、無線ネットワークノード１１０、５００は、例えば無線デバイス１２０、４００といった１つもしくは複数の無線デバイス、および／または１つもしくは複数の他のネットワークノードと通信するように設定された入出力モジュール５０５を備える。入出力モジュール５０５は、無線受信器（図示せず）および無線送信器（図示せず）を備えることができる。
【０２１８】
無線ネットワークノード１１０、５００は、時間値を、入手するように設定された入手モジュール５０６を用いて入手するように設定される。入手モジュール５０６は、処理モジュール５０１によって実行されること、もしくは処理モジュール５０１と通信して配置されること、および／または無線デバイス１１０、５００の処理回路５０４によって実行されることが可能である。
【０２１９】
いくつかの実施形態において、無線ネットワークノード１１０、５００は、時間値に関する更新情報を入手するように設定される。
【０２２０】
前述のように、時間値および／または時間値に関する更新情報は、無線デバイス１２０に対するネットワークＴＲＰを無線通信ネットワーク１００がスイッチしようとしていることを検出することに基づくことが可能である。
【０２２１】
同様に前述のように、時間値および／または時間値に関する更新情報は、無線デバイス１２０との間の予想トラフィックに基づくことが可能である。
【０２２２】
無線ネットワークノード１１０、５００は、無線デバイス１２０、４００への、例えばデータパケット、信号、または情報といった送信を、送付するように設定された送付モジュール５０７を用いて送付するように設定される。送付モジュール５０７は、処理モジュール５０１によって実行されること、もしくは処理モジュール５０１と通信して配置されること、および／または無線デバイス１１０、５００の処理回路５０４によって実行されることが可能である。
【０２２３】
無線ネットワークノード１１０、５００は、第１の信号の最後の送信から一定時間が経過する前に、第１の信号を無線デバイス１２０に送付するように設定され、第１の信号は、無線デバイス１２０に固有のものである。
【０２２４】
前述のように、第１の信号は、ＤＣＩメッセージまたは参照信号を含むことができる。
【０２２５】
いくつかの実施形態において、無線ネットワークノード１１０、５００は、時間値に関する更新情報を無線デバイス１２０に送付するように設定される。
【０２２６】
無線ネットワークノード１１０、５００は、計測モジュール５０８を用いて、例えば時間周期といった時間を計測するように設定される。計測モジュール５０８は、処理モジュール５０１によって実行されること、もしくは処理モジュール５０１と通信して配置されること、および／または無線デバイス１１０、５００の処理回路５０４によって実行されることが可能である。
【０２２７】
いくつかの実施形態において、無線ネットワークノード１１０、５００は、第１の信号の最後の送信からの時間を計測するように設定される。
【０２２８】
ネットワークノード１１０、５００は、時間または時間周期が経過したか否かを、判断するように設定された判断モジュール５０９を用いて判断するように設定される。判断モジュール５０９は、処理モジュール５０１によって実行されること、もしくは処理モジュール５０１と通信して配置されること、および／または無線デバイス１１０、５００の処理回路５０４によって実行されることが可能である。
【０２２９】
いくつかの実施形態において、無線ネットワークノード１１０、５００は、入手された時間値および計測時間に基づいて、いつ一定時間が発生するかを判断するように設定される。
【０２３０】
図６ａ〜図６ｃは、コンピュータプログラム４０３、５０３のうちの任意の１つであることが可能であり、個々の処理回路によって実行されると、上述のような個々の方法を、処理回路を有するノードに行わせる命令を有するコンピュータプログラムに関する実施形態を示す概略図である。
【０２３１】
いくつかの実施形態において、コンピュータ可読媒体およびコンピュータ可読媒体上に格納されたコンピュータプログラムを備えるコンピュータプログラム製品、すなわちデータ担体が提供される。コンピュータ可読媒体によって、一時的な伝搬信号が除外されることが可能であり、コンピュータ可読媒体は、これに対応して、非一時的コンピュータ可読媒体と名付けられることが可能である。コンピュータ可読媒体の非限定的な例は、図６ａにあるようなメモリカードまたはメモリスティック６０１、図６ｂにあるようなＣＤまたはＤＶＤなどのディスクストレージ媒体６０２、図６ｃにあるような大容量ストレージデバイス６０３である。大容量ストレージデバイスは、典型的には、ハードドライブまたはソリッドステートデバイス（ＳＳＤ）に基づく。大容量ストレージデバイスは、例えばインターネットまたはローカルエリアネットワーク（ＬＡＮ）といったコンピュータネットワーク６０５でアクセス可能なデータを格納するために使用されるようなものであることが可能である。
【０２３２】
コンピュータプログラムは、それぞれ、さらに、純粋なコンピュータプログラムとして提供されること、または１つもしくは複数のファイルに含まれることが可能である。１つまたは複数のファイルは、コンピュータ可読媒体上に格納されること、および例えば、サーバを介して大容量ストレージデバイスから、など、例えば、コンピュータネットワークでダウンロードを通じて利用できることが可能である。サーバは、例えば、ウェブサーバまたはファイルトランスファプロトコル（ＦＴＰ）サーバであることが可能である。１つまたは複数のファイルは、例えば、例えば処理回路によって方法を実行するために、ノードに直接的または間接的にダウンロードするため、ならびにノード上で実行するための実行可能ファイルであることが可能であり、または上述のような個々の方法をノードに行わせる、さらなるダウンロードおよび実行の前に、１つまたは複数のファイルを実行可能にするための、中間のダウンロードおよびコンパイルのためのものであることが可能である。
【０２３３】
前述において言及された任意の処理モジュールは、例えば既存のハードウェア内のソフトウェアモジュールおよび／もしくはハードウェアモジュールとして、ならびに／または特定用途向け集積回路（ＡＳＩＣ）、フィールドプログラマブルゲートアレイ（ＦＰＧＡ）、もしくは同様のものとして、実装されることが可能であるということに留意されたい。前述において言及された任意のハードウェアモジュールおよび／または回路は、例えば、単一のＡＳＩＣもしくはＦＰＧＡに含まれること、または個別にパッケージ化されようと、システムオンチップ（ＳｏＣ）に組み立てられようと、いくつかの別々のハードウェア構成要素の間に分散されることが可能であるということにも留意されたい。
【０２３４】
本明細書で論じられるモジュールおよび回路機器は、ハードウェアモジュール、ソフトウェアモジュール、アナログおよびデジタル回路、ならびに／または１つもしくは複数のプロセッサによって実行されると、上述の方法をそれぞれ、および／または方法のアクションを、行うように第１のノードおよび第２のノードを設定すること、ならびに／または第１のノードおよび第２のノードに行わせること、を行う、例えばメモリに格納されたソフトウェアおよび／またはファームウェアによって設定された１つまたは複数のプロセッサ、の組合せを指すことができるということも当業者は正しく認識するであろう。
【０２３５】
本明細書における任意の識別子による識別は、暗黙的または明示的なものであることが可能である。識別は、無線通信ネットワーク１００において、または無線通信ネットワークの少なくとも一部もしくはいくつかの領域において一意であることが可能である。
【０２３６】
反対に、何か情報がなくてもわかるはずのように、本明細書で典型的に使用されるような「ネットワーク」という用語、または単純に「ＮＷ」は、無線通信ネットワーク１００を指す。
【０２３７】
反対に、何か情報がなくてもわかるはずのように、本明細書で典型的に使用されるようなＵＥ、端末、またはＭＳという用語は、無線デバイス１２０を指す。
【０２３８】
本明細書で使用されるような「ネットワークノード」という用語は、したがって、（下記で説明される）任意のタイプの無線ネットワークノード、または少なくとも無線ネットワークノードと通信することができる任意のネットワークノードを指すことができる。このようなネットワークノードの例は、上述の任意の無線ネットワークノード、コアネットワークノード、運用保守（Ｏ＆Ｍ）、オペレーションサポートシステム（ＯＳＳ）、自己組織化ネットワーク（ＳＯＮ）ノード、位置決めノード、等を含む。
【０２３９】
本明細書で使用されるような「無線ネットワークノード」という用語は、したがって、無線デバイスをサービングし、および／または他のネットワークノードもしくはネットワーク要素もしくは無線デバイスが信号を受信する任意の無線ノードに接続される任意のタイプのネットワークノードを指す。無線ネットワークノードの例は、ノードＢ、基地局（ＢＳ）、ＭＳＲ  ＢＳなどのマルチスタンダード無線機（ＭＳＲ）ノード、ｅＮＢ、ｅノードＢ、ネットワークコントローラ、ＲＮＣ、基地局コントローラ（ＢＳＣ）、中継局、中継局を制御するドナーノード、ベーストランシーバ基地局（ＢＴＳ）、アクセスポイント（ＡＰ）、送信ポイント、送信ノード、分散アンテナシステム（ＤＡＳ）におけるノード、等である。
【０２４０】
本明細書で使用されるような「通信デバイス」または「無線デバイス」という用語は、したがって、無線通信ネットワーク１００などの、無線システム、セルラーシステム、および／または移動体通信システムにおける、例えば無線ネットワークノードと通信するように配置された任意のタイプのデバイスを指すことが可能であり、したがって、無線通信デバイスであることが可能である。例は、ターゲットデバイス、デバイス間ＵＥ、マシン型通信（ＭＴＣ）のためのデバイス、ＭＴＣデバイス、マシン型ＵＥもしくはマシンツーマシン（Ｍ２Ｍ）通信ができるＵＥ、パーソナルデジタルアシスタント（ＰＤＡ）、ｉＰＡＤ、タブレット、モバイル端末、スマートフォン、ラップトップ内蔵機器（ＬＥＥ）、ラップトップ搭載型機器（ＬＭＥ）、ユニバーサルシリアルバス（ＵＳＢ）ドングル、等を含む。便宜上本明細書において、または他の３ＧＰＰ用語を伴う例の文脈において前記用語が頻繁に使用されるが、用語は、したがって、非限定的なものであり、本明細書における教示は、本質的に任意のタイプの無線デバイスに適用されるということが正しく認識されなければならない。
【０２４１】
本明細書で使用されるような「ノード」という用語は、したがって、上述したものなどの、任意のタイプのネットワークノードまたは無線デバイスを指すことができる。
【０２４２】
本明細書で使用される専門用語は、３ＧＰＰに基づく無線通信ネットワークなど、使用される専門用語に応じて、一定のセルラー通信システム、無線通信ネットワーク、等と特に関連付けられること、および／またはこれらによって例示されることが可能であるが、このことは、したがって、本明細書における実施形態の範囲を、このような一定のシステム、ネットワーク、等に限定するものとしてみなされるべきではないということに留意されたい。
【０２４３】
本明細書で使用されるような「メモリ」という用語は、ハードディスク、磁気ストレージ媒体、ポータブルコンピュータディスケットもしくはディスク、フラッシュメモリ、ランダムアクセスメモリ（ＲＡＭ）、または同様のものを指すことができる。さらにメモリは、プロセッサの内部レジスタメモリであることが可能である。
【０２４４】
本明細書で使用された可能性のある、第１のネットワークノード、第２のネットワークノード、第１の基地局、第２の基地局、または類似のものなどの任意の列挙する専門用語は、したがって、非限定的であることを考慮に入れているべきであり、専門用語は、したがって、一定の階層式の関係を意味しないということにも留意されたい。反対に、いずれの明示的な情報もなく、列挙によって名前付けすることは、様々な名前を達成する方式にすぎないと考えられるべきである。
【０２４５】
省略形      説明
ＤＣＩ      ダウンリンク制御情報（メッセージ）
ＭＡＣ      媒体アクセス制御
ＮＷ        ネットワーク
ＰＤＣＣＨ  物理ダウンリンク制御チャネル
ＲＲＣ      無線リソース制御
ＲＳ        参照信号
ＳＮＲ      信号対雑音比
ＴＲＰ      送受信ポイント
ＵＥ        ユーザ機器
【図１】
0006892923.tif 000002
【図２】
0006892923.tif 000003
【図３】
0006892923.tif 000004
【図４】
0006892923.tif 000005
【図５】
0006892923.tif 000006
【図６】
0006892923.tif 000007
【図７】
0006892923.tif 000008
【図８】
0006892923.tif 000009